(57)【要約】【課題】アンテナポートのクアジコロケーションに関する想定に基づいて、下りリンクの参照信号を送受信し、効率的に通信することができる端末装置、通信方法、集積回路を提供する。【解決手段】端末装置であって、第１の送信モードが設定され、且つ第１の下りリンク制御情報フォーマットを検出した場合には、第１のアンテナポートと第２のアンテナポートが、クアジコロケイティッド（ｑｕａｓｉ  ｃｏ−ｌｏｃａｔｅｄ）されていないと想定し、前記第１の送信モードが設定され、且つ第２の下り制御情報フォーマットを検出した場合には、前記第２のアンテナポートを使用して送信されるチャネル状態情報参照信号が、前記第２の下り制御情報フォーマットに含まれる制御情報を使用して指示されたリソースにマップされた時にだけ、前記第２のアンテナポートが、前記第１のアンテナポートとクアジコロケイティッドされていると想定する。【選択図】図８
2014068299.tif 000002
【特許請求の範囲】
【請求項１】
基地局装置と通信する端末装置であって、
第１の送信モードが設定され、且つ第１の下りリンク制御情報フォーマットを検出した場合には、少なくとも、物理下りリンク共用チャネルに関連するユーザー装置スペシフィック参照信号の送信に使用される第１のアンテナポートとチャネル状態情報参照信号の送信に使用される第２のアンテナポートが、クアジコロケイティッド（ｑｕａｓｉ  ｃｏ−ｌｏｃａｔｅｄ）されていないと想定し、
前記第１の送信モードが設定され、且つ第２の下り制御情報フォーマットを検出した場合には、前記第２のアンテナポートを使用して送信される前記チャネル状態情報参照信号が、前記第２の下り制御情報フォーマットに含まれる制御情報を使用して指示されたリソースにマップされた時にだけ、前記第２のアンテナポートが、前記第１のアンテナポートとクアジコロケイティッドされていると想定する
ことを特徴とする端末装置。
【請求項２】
第２の送信モードにおいて、前記第１の下りリンク制御情報フォーマットを検出した場合には、前記第１のアンテナポートと前記第２のアンテナポートとセルスペシフィック参照信号の送信に使用される第３のアンテナポートが、クアジコロケイティッドされていると想定する
ことを特徴とする請求項１に記載の端末装置。
【請求項３】
前記第１の送信モードが設定される場合には、前記チャネル状態情報参照信号に対する複数のリソースが設定される
ことを特徴する請求項１または請求項２に記載の端末装置。
【請求項４】
前記第２の送信モードが設定される場合には、前記チャネル状態情報参照信号に対する単一のリソースが設定される
ことを特徴する請求項２又は請求項３のいずれかに記載の端末装置。
【請求項５】
前記第１の送信モードが設定されている場合には、前記第１の下りリンク制御情報フォーマットおよび前記第２の下りリンク制御情報フォーマットをモニタする
ことを特徴とする請求項１から請求項４のいずれかに記載の端末装置。
【請求項６】
前記第２の送信モードが設定されている場合には、前記第１の下りリンク制御情報フォーマットおよび前記第３の下りリンク制御情報フォーマットをモニタする
ことを特徴とする請求項２から請求項５のいずれかに記載の端末装置。
【請求項７】
前記第１の下りリンク制御情報フォーマットは、物理下りリンク制御チャネルに対するコモンサーチスペースおよび／またはユーザー装置スペシフィックサーチスペースにおいて送信される
ことを特徴とする請求項１から請求項６のいずれかに記載の端末装置。
【請求項８】
前記第２の下りリンク制御情報フォーマットは、前記物理下りリンク制御チャネルに対するユーザー装置スペシフィックサーチスペースのみにおいて送信される
ことを特徴とする請求項１から請求項７のいずれかに記載の端末装置。
【請求項９】
前記第１の下りリンク制御情報フォーマットおよび前記第３の下りリンク制御情報フォーマットには、前記制御情報が含まれない
ことを特徴とする請求項１から請求項８のいずれかに記載の端末装置。
【請求項１０】
前記第２の下りリンク制御情報フォーマットには、前記制御情報が含まれる
ことを特徴とする請求項１から請求項９のいずれかに記載の端末装置。
【請求項１１】
基地局装置と通信する端末装置の通信方法であって、
第１の送信モードが設定され、且つ第１の下りリンク制御情報フォーマットを検出した場合には、少なくとも、物理下りリンク共用チャネルに関連するユーザー装置スペシフィック参照信号の送信に使用される第１のアンテナポートとチャネル状態情報参照信号の送信に使用される第２のアンテナポートが、クアジコロケイティッド（ｑｕａｓｉ  ｃｏ−ｌｏｃａｔｅｄ）されていないと想定し、
前記第１の送信モードが設定され、且つ第２の下り制御情報フォーマットを検出した場合には、前記第２のアンテナポートを使用して送信される前記チャネル状態情報参照信号が、前記第２の下り制御情報フォーマットに含まれる制御情報を使用して指示されたリソースにマップされた時にだけ、前記第２のアンテナポートが、前記第１のアンテナポートとクアジコロケイティッドされていると想定する
ことを特徴とする通信方法。
【請求項１２】
第２の送信モードにおいて、前記第１の下りリンク制御情報フォーマットを検出した場合には、前記第１のアンテナポートと前記第２のアンテナポートとセルスペシフィック参照信号の送信に使用される第３のアンテナポートが、クアジコロケイティッドされていると想定する
ことを特徴とする請求項１１に記載の通信方法。
【請求項１３】
基地局装置と通信する端末装置に搭載される集積回路であって、
第１の送信モードが設定され、且つ第１の下りリンク制御情報フォーマットを検出した場合には、少なくとも、物理下りリンク共用チャネルに関連するユーザー装置スペシフィック参照信号の送信に使用される第１のアンテナポートとチャネル状態情報参照信号の送信に使用される第２のアンテナポートが、クアジコロケイティッド（ｑｕａｓｉ  ｃｏ−ｌｏｃａｔｅｄ）されていないと想定する機能を、
前記第１の送信モードが設定され、且つ第２の下り制御情報フォーマットを検出した場合には、前記第２のアンテナポートを使用して送信される前記チャネル状態情報参照信号が、前記第２の下り制御情報フォーマットに含まれる制御情報を使用して指示されたリソースにマップされた時にだけ、前記第２のアンテナポートが、前記第１のアンテナポートとクアジコロケイティッドされていると想定する機能と、を前記端末装置へ発揮させる
ことを特徴とする集積回路。
【請求項１４】
第２の送信モードにおいて、前記第１の下りリンク制御情報フォーマットを検出した場合には、前記第１のアンテナポートと前記第２のアンテナポートとセルスペシフィック参照信号の送信に使用される第３のアンテナポートが、クアジコロケイティッドされていると想定する機能と、を前記端末装置へ発揮させる
ことを特徴とする請求項１３に記載の集積回路。
【発明の詳細な説明】
【技術分野】
【０００１】
本発明は、端末装置、通信方法および集積回路に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によるＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）やＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  ｅｎｇｉｎｅｅｒｓ）によるＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）のような無線通信システムでは、基地局および端末のそれぞれが、１つまたは複数の送受信アンテナを備えて、例えば、ＭＩＭＯ（Ｍｕｌｔｉｐｌｅ  Ｉｎｐｕｔ  Ｍｕｌｔｉｐｌｅ  Ｏｕｔｐｕｔ）技術を利用することによって、高速なデータ伝送を実現することができる。
【０００３】
ここで、無線通信システムにおいて、複数の端末が、同一の周波数、時間リソースを使用して空間多重を行うＭＵ−ＭＩＭＯ（Ｍｕｌｔｉｐｌｅ  Ｕｓｅｒ  ＭＩＭＯ）をサポートすることが検討されている。また、複数の基地局が互いに協調して干渉コーディネーションを行うＣｏＭＰ（Ｃｏｏｐｅｒａｔｉｖｅ  Ｍｕｌｔｉｐｏｉｎｔ）伝送方式をサポートすることが検討されている。例えば、カバレッジの広いマクロ基地局と、そのマクロ基地局よりもカバレッジの狭いＲＲＨ（Ｒｅｍｏｔｅ  Ｒａｄｉｏ  Ｈｅａｄ）などによるヘテロジーニアスネットワーク配置（ＨｅｔＮｅｔ；Ｈｅｔｅｒｏｇｅｎｅｏｕｓ  Ｎｅｔｗｏｒｋ  ｄｅｐｌｏｙｍｅｎｔ）における無線通信システムが検討されている。
【０００４】
このような無線通信システムにおいて、基地局と端末が、外見上同一場所に配置された（疑似の同一場所に配置された、クアジコロケイティッド（ｑｕａｓｉ  ｃｏ−ｌｏｃａｔｅｄ）とも呼称される）アンテナポートを想定して、下りリンクの参照信号（ＤＲＳ；Ｄｏｗｎｌｉｎｋ  Ｒｅｆｅｒｅｎｃｅ  Ｓｉｇｎａｌｓ）を送受信することが提案されている（非特許文献１）。
【先行技術文献】
【非特許文献】
【０００５】
【非特許文献１】Ｒｅｍａｉｎｉｎｇ  ｉｓｓｕｅｓ  ｏｎ  ｑｕａｓｉ−ｃｏｌｏｃａｔｅｄ  ａｎｔｅｎｎａ  ｐｏｒｔｓ；  ３ＧＰＰ  ＴＳＧ  ＲＡＮ  ＷＧ１  ｍｅｅｔｉｎｇ＃７０  Ｒ１−１２３５８９、Ａｕｇｕｓｔ  １３ｔｈ−１７ｔｈ、２０１２.
【発明の概要】
【発明が解決しようとする課題】
【０００６】
しかしながら、上述のような無線通信システムにおいて、端末が、アンテナポートのクアジコロケーション（ｑｕａｓｉ  ｃｏ−ｌｏｃａｔｉｏｎ）に関する想定に基づいて、下りリンクの参照信号を受信する際の具体的な手順に関する記載はなかった。
【０００７】
本発明は、上記問題を鑑みてなされたものであり、その目的は、アンテナポートのクアジコロケーションに関する想定に基づいて、下りリンクの参照信号を送受信し、効率的に通信することができる端末装置、通信方法および集積回路を提供する。
【課題を解決するための手段】
【０００８】
（１）上記の目的を達成するために、本発明は、以下のような手段を講じた。すなわち、本発明における端末装置は、基地局装置と通信する端末装置であって、第１の送信モードが設定され、且つ第１の下りリンク制御情報フォーマットを検出した場合には、少なくとも、物理下りリンク共用チャネルに関連するユーザー装置スペシフィック参照信号の送信に使用される第１のアンテナポートとチャネル状態情報参照信号の送信に使用される第２のアンテナポートが、クアジコロケイティッド（ｑｕａｓｉ  ｃｏ−ｌｏｃａｔｅｄ）されていないと想定し、前記第１の送信モードが設定され、且つ第２の下り制御情報フォーマットを検出した場合には、前記第２のアンテナポートを使用して送信される前記チャネル状態情報参照信号が、前記第２の下り制御情報フォーマットに含まれる制御情報を使用して指示されたリソースにマップされた時にだけ、前記第２のアンテナポートが、前記第１のアンテナポートとクアジコロケイティッドされていると想定することを特徴としている。
【０００９】
（２）また、基地局装置と通信する端末装置の通信方法であって、第１の送信モードが設定され、且つ第１の下りリンク制御情報フォーマットを検出した場合には、少なくとも、物理下りリンク共用チャネルに関連するユーザー装置スペシフィック参照信号の送信に使用される第１のアンテナポートとチャネル状態情報参照信号の送信に使用される第２のアンテナポートが、クアジコロケイティッド（ｑｕａｓｉ  ｃｏ−ｌｏｃａｔｅｄ）されていないと想定し、前記第１の送信モードが設定され、且つ第２の下り制御情報フォーマットを検出した場合には、前記第２のアンテナポートを使用して送信される前記チャネル状態情報参照信号が、前記第２の下り制御情報フォーマットに含まれる制御情報を使用して指示されたリソースにマップされた時にだけ、前記第２のアンテナポートが、前記第１のアンテナポートとクアジコロケイティッドされていると想定することを特徴としている。
【００１０】
（３）また、基地局装置と通信する端末装置に搭載される集積回路であって、第１の送信モードが設定され、且つ第１の下りリンク制御情報フォーマットを検出した場合には、少なくとも、物理下りリンク共用チャネルに関連するユーザー装置スペシフィック参照信号の送信に使用される第１のアンテナポートとチャネル状態情報参照信号の送信に使用される第２のアンテナポートが、クアジコロケイティッド（ｑｕａｓｉ  ｃｏ−ｌｏｃａｔｅｄ）されていないと想定する機能と、前記第１の送信モードが設定され、且つ第２の下り制御情報フォーマットを検出した場合には、前記第２のアンテナポートを使用して送信される前記チャネル状態情報参照信号が、前記第２の下り制御情報フォーマットに含まれる制御情報を使用して指示されたリソースにマップされた時にだけ、前記第２のアンテナポートが、前記第１のアンテナポートとクアジコロケイティッドされていると想定する機能と、を前記端末装置へ発揮させることを特徴としている。
【発明の効果】
【００１１】
本発明によれば、端末が、アンテナポートのクアジコロケーションに関する想定に基づいて、下りリンクの参照信号を送受信し、効率的に通信することができる。
【図面の簡単な説明】
【００１２】
【図１】本実施形態に係る基地局の構成を示す概略ブロック図である。
【図２】本実施形態に係る端末の構成を示す概略ブロック図である。
【図３】本実施形態に係る無線通信システムの一例を示す概略図である。
【図４】物理下りリンクチャネルと下りリンクの参照信号のマッピングの一例を示す図である。
【図５】物理下りリンクチャネルのマッピングの一例を示す図である。
【図６】本実施形態を説明するための図である。
【図７】本実施形態を説明するための別の図である。
【図８】本実施形態に係る処理フローの一例を示す図である。
【発明を実施するための形態】
【００１３】
以下、本発明の実施形態について説明する。本発明の実施形態における無線通信システムは、基地局装置（基地局、送信装置、セル、サービングセル、送信局、送信点（ＴＰ；Ｔｒａｎｓｍｉｓｓｉｏｎ  ｐｏｉｎｔ）、送信アンテナ群、送信アンテナポート群、ｅＮｏｄｅＢ、ｅＮＢとも呼称される）として、プライマリ基地局（マクロ基地局、第１の基地局、第１の通信装置、送信点１（ＴＰ１；Ｔｒａｎｓｍｉｓｓｉｏｎ  ｐｏｉｎｔ  １）、サービング基地局、アンカー基地局、プライマリセルとも呼称される）およびセカンダリ基地局（ＲＲＨ、ピコ基地局、フェムト基地局、Ｈｏｍｅ  ｅＮｏｄｅＢ、第２の基地局装置、第２の通信装置、送信点２（Ｔｒａｎｓｍｉｓｓｉｏｎ  ｐｏｉｎｔ  ２）、協調基地局群、協調基地局セット、協調基地局、セカンダリセル、ＬＰＮ（Ｌｏｗ  Ｐｏｗｅｒ  Ｎｏｄｅ）とも呼称される）を備える。
【００１４】
また、移動局装置（端末、端末装置、移動端末、受信装置、受信点、受信端末、第３の通信装置、受信アンテナ群、受信アンテナポート群、ユーザー装置（ＵＥ；Ｕｓｅｒ  Ｅｑｕｉｐｍｅｎｔ）とも呼称される）を備える。
【００１５】
ここで、例えば、プライマリ基地局とセカンダリ基地局に、ヘテロジーニアスネットワーク配置が適用され、セカンダリ基地局のカバレッジの一部または全てが、プライマリ基地局のカバレッジに含まれても良い。また、セカンダリ基地局は、複数のセカンダリ基地局であっても良い。
【００１６】
図１は、本実施形態に係る基地局の構成を示す概略ブロック図である。ここで、図１に示される基地局１００には、プライマリ基地局やセカンダリ基地局が含まれる。基地局１００は、データ制御部１０１と、送信データ変調部１０２と、無線部１０３と、スケジューリング部１０４と、チャネル推定部１０５と、受信データ復調部１０６と、データ抽出部１０７と、上位層１０８と、アンテナ１０９と、を含んで構成される。また、無線部１０３、スケジューリング部１０４、チャネル推定部１０５、受信データ復調部１０６、データ抽出部１０７、上位層１０８およびアンテナ１０９で受信部を構成する。また、データ制御部１０１、送信データ変調部１０２、無線部１０３、スケジューリング部１０４、上位層１０８およびアンテナ１０９で送信部を構成する。ここで、基地局１００を構成する各部を、ユニットとも呼称する。
【００１７】
データ制御部１０１は、スケジューリング部１０４からトランスポートチャネルを受信する。データ制御部１０１は、トランスポートチャネルと物理層で生成される信号を、スケジューリング部１０４から入力されるスケジューリング情報に基づいて、物理チャネルにマッピングする。マッピングされた各データは、送信データ変調部１０２へ出力される。
【００１８】
送信データ変調部１０２は、送信データを変調／符号化する。送信データ変調部１０２は、データ制御部１０１から入力されたデータに対して、スケジューリング部１０４からのスケジューリング情報などに基づいて、変調／符号化、入力信号の直列／並列変換、ＩＦＦＴ（逆高速フーリエ変換：Ｉｎｖｅｒｓｅ  Ｆａｓｅ  Ｆｏｕｒｉｅｒ  Ｔｒａｎｓｆｏｒｍ）処理、ＣＰ（Ｃｙｃｌｉｃ  Ｐｒｅｆｉｘ）挿入などの信号処理を行ない、送信データを生成して、無線部１０３へ出力する。
【００１９】
無線部１０３は、送信データ変調部１０２から入力された送信データを無線周波数にアップコンバートして無線信号を生成し、アンテナ１０９を介して、端末に送信する。また、無線部１０３は、端末から受信した無線信号を、アンテナ１０９を介して受信し、ベースバンド信号にダウンコンバートして、受信データをチャネル推定部１０５と受信データ復調部１０６とに出力する。
【００２０】
スケジューリング部１０４は、論理チャネルとトランスポートチャネルのマッピング、下りリンクおよび上りリンクのスケジューリングなどを行なう。スケジューリング部１０４は、各物理層の処理部を統合して制御するため、スケジューリング部１０４と、アンテナ１０９、無線部１０３、チャネル推定部１０５、受信データ復調部１０６、データ制御部１０１、送信データ変調部１０２およびデータ抽出部１０７との間のインターフェースが存在する。
【００２１】
また、スケジューリング部１０４は、下りリンクのスケジューリングでは、端末から受信した上りリンク制御情報や上位層１０８から入力されたスケジューリング情報などに基づいて、トランスポートチャネルおよび物理チャネルにおける送信制御やスケジューリング情報の生成を行なう。これら下りリンクのスケジューリングに使用されるスケジューリング情報は、データ制御部１０１へ出力される。
【００２２】
また、スケジューリング部１０４は、上りリンクのスケジューリングでは、チャネル推定部１０５が出力する上りリンクのチャネル状態や上位層１０８から入力されたスケジューリング情報などに基づいて、スケジューリング情報の生成を行なう。これら上りリンクのスケジューリングに使用されるスケジューリング情報は、データ制御部１０１へ出力される。
【００２３】
また、スケジューリング部１０４は、上位層１０８から入力された下りリンクの論理チャネルをトランスポートチャネルにマッピングし、データ制御部１０１へ出力する。また、スケジューリング部１０４は、データ抽出部１０７から入力された上りリンクのトランスポートチャネルと制御データを、必要に応じて処理した後に、上りリンクの論理チャネルにマッピングし、上位層１０８へ出力する。
【００２４】
チャネル推定部１０５は、上りリンクで送信される信号を復調するために、上りリンクの参照信号（例えば、復調用参照信号）から上りリンクのチャネル状態を推定し、受信データ復調部１０６に出力する。また、上りリンクのスケジューリングを行なうために、上りリンクの参照信号（例えば、サウンディング参照信号）から上りリンクのチャネル状態を推定し、スケジューリング部１０４に出力する。
【００２５】
受信データ復調部１０６は、受信データを復調する。受信データ復調部１０６は、チャネル推定部１０５から入力された上りリンクのチャネル状態の推定結果に基づいて、無線部１０３から入力された変調データに対し、ＤＦＴ変換、サブキャリアマッピング、ＩＦＦＴ変換などの信号処理を行なって、復調処理を施し、データ抽出部１０７に出力する。
【００２６】
データ抽出部１０７は、受信データ復調部１０６から入力された受信データに対して、正誤を確認するとともに、確認結果（例えば、ＡＣＫまたはＮＡＣＫ）をスケジューリング部１０４に出力する。また、データ抽出部１０７は、受信データ復調部１０６から入力されたデータから、トランスポートチャネルと物理層の制御データとに分離して、スケジューリング部１０４に出力する。
【００２７】
上位層１０８は、無線リソース制御（ＲＲＣ；Ｒａｄｉｏ  Ｒｅｓｏｕｒｃｅ  Ｃｏｎｔｒｏｌ）層の処理やＭＡＣ（Ｍｅｄｉａｍ  Ａｃｃｅｓｓ  Ｃｏｎｔｒｏｌ）層の処理を行なう。上位層１０８は、下位層の処理部を統合して制御するため、上位層１０８と、スケジューリング部１０４、アンテナ１０９、無線部１０３、チャネル推定部１０５、受信データ復調部１０６、データ制御部１０１、送信データ変調部１０２およびデータ抽出部１０７との間のインターフェースが存在する。
【００２８】
図２は、本実施形態に係る端末の構成を示す概略ブロック図である。端末２００は、データ制御部２０１と、送信データ変調部２０２と、無線部２０３と、スケジューリング部２０４と、チャネル推定部２０５と、受信データ復調部２０６と、データ抽出部２０７と、上位層２０８、アンテナ２０９と、を含んで構成される。また、データ制御部２０１、送信データ変調部２０２、無線部２０３、スケジューリング部２０４、上位層２０８、アンテナ２０９で送信部を構成する。また、無線部２０３、スケジューリング部２０４、チャネル推定部２０５、受信データ復調部２０６、データ抽出部２０７、上位層２０８、アンテナ２０９で受信部を構成する。ここで、端末２００を構成する各部を、ユニットとも呼称する。
【００２９】
データ制御部２０１は、スケジューリング部２０４からトランスポートチャネルを受信する。また、データ制御部２０１は、トランスポートチャネルと物理層で生成される信号を、スケジューリング部２０４から入力されるスケジューリング情報に基づいて、物理チャネルにマッピングする。マッピングされた各データは、送信データ変調部２０２へ出力される。
【００３０】
送信データ変調部２０２は、送信データを変調／符号化する。送信データ変調部２０２は、データ制御部２０１から入力されたデータに対して、変調／符号化、入力信号の直列／並列変換、ＩＦＦＴ処理、ＣＰ挿入などの信号処理を行ない、送信データを生成して、無線部２０３へ出力する。
【００３１】
無線部２０３は、送信データ変調部２０２から入力された送信データを無線周波数にアップコンバートして無線信号を生成し、アンテナ２０９を介して、基地局に送信する。また、無線部２０３は、基地局から受信した無線信号を、アンテナ２０９を介して受信し、ベースバンド信号にダウンコンバートして、受信データを、チャネル推定部２０５および受信データ復調部２０６に出力する。
【００３２】
スケジューリング部２０４は、論理チャネルとトランスポートチャネルのマッピング、下りリンクおよび上りリンクのスケジューリングなどを行なう。スケジューリング部２０４は、各物理層の処理部を統合して制御するため、スケジューリング部２０４と、アンテナ２０９、データ制御部２０１、送信データ変調部２０２、チャネル推定部２０５、受信データ復調部２０６、データ抽出部２０７および無線部２０３との間のインターフェースが存在する。
【００３３】
また、スケジューリング部２０４は、基地局から受信した下りリンク制御情報や上位層２０８から入力されたスケジューリング情報などに基づいて、トランスポートチャネルおよび物理チャネルにおける受信制御やスケジューリング情報の生成を行なう。これら下りリンクのスケジューリングに使用されるスケジューリング情報は、データ制御部２０１へ出力される。
【００３４】
また、スケジューリング部２０４は、基地局から受信した下りリンク制御情報や上位層２０８から入力されたスケジューリング情報などに基づいて、上位層２０８から入力された上りリンクの論理チャネルをトランスポートチャネルにマッピングするためのスケジューリング処理、および、上りリンクのスケジューリングに使用されるスケジューリング情報の生成を行なう。これらスケジューリング情報は、データ制御部２０１へ出力される。
【００３５】
また、スケジューリング部２０４は、上位層２０８から入力された上りリンクの論理チャネルをトランスポートチャネルにマッピングし、データ制御部２０１へ出力する。また、スケジューリング部２０４は、チャネル推定部２０５から入力されたチャネル状態情報や、データ抽出部２０７から入力されたＣＲＣ（Ｃｙｃｌｉｃ  Ｒｅｄｕｎｄａｎｃｙ  Ｃｈｅｃｋ；巡回冗長検査）パリティビット（単に、ＣＲＣとも呼称される）の確認結果についても、データ制御部２０１へ出力する。
【００３６】
また、スケジューリング部２０４は、下りリンクの参照信号の送信に使用されるアンテナポートのそれぞれが、クアジコロケイティッドされているかの想定を行い、チャネル推定部２０５へ出力する。
【００３７】
チャネル推定部２０５は、下りリンクで送信された信号を復調するために、下りリンクの参照信号から下りリンクのチャネル状態を推定し、受信データ復調部２０６に出力する。また、受信データ復調部２０６は、無線部２０３から入力された受信データを復調し、データ抽出部２０７に出力する。
【００３８】
また、チャネル推定部２０５は、スケジューリング部２０４からのクアジコロケーションに関する想定に基づいて、下りリンクの参照信号を復調する。
【００３９】
データ抽出部２０７は、受信データ復調部２０６から入力された受信データに対して、正誤を確認するとともに、確認結果（例えば、ＡＣＫまたはＮＡＣＫ）をスケジューリング部２０４に出力する。また、データ抽出部２０７は、受信データ復調部２０６から入力された受信データからトランスポートチャネルと物理層の制御データに分離して、スケジューリング部２０４に出力する。
【００４０】
上位層２０８は、無線リソース制御層の処理やＭＡＣ層の処理を行なう。上位層２０８は、下位層の処理部を統合して制御するため、上位層２０８と、スケジューリング部２０４、アンテナ２０９、データ制御部２０１、送信データ変調部２０２、チャネル推定部２０５、受信データ復調部２０６、データ抽出部２０７および無線部２０３との間のインターフェースが存在する。
【００４１】
図３は、本実施形態に係る無線通信システムの一例を示す概略図である。図３において、例えば、端末３０３は、プライマリ基地局３０１またはセカンダリ基地局３０２と、シングルセル通信を行うことができる。また、端末３０３は、プライマリ基地局３０１および／またはセカンダリ基地局３０２と、マルチセル通信を行うことができる。
【００４２】
ここで、シングルセル通信とは、単一の基地局が、下りリンクの情報（下りリンクの信号）を端末へ送信することを示している。例えば、端末３０３は、プライマリ基地局３０１から下りリンク３０４で送信される下りリンクの情報を、あるサブフレームで受信することができる。また、端末３０３は、セカンダリ基地局３０２から下りリンク３０５で送信される下りリンクの情報を、別のあるサブフレームで受信することができる。
【００４３】
また、マルチセル通信とは、複数の基地局が互いに協調して、下りリンクの情報を端末へ送信することを示している。例えば、端末３０３は、プライマリ基地局３０１から下りリンク３０４で送信される下りリンクの情報、および、セカンダリ基地局３０２から下りリンク３０５で送信される下りリンクの情報を、同一サブフレームで受信することができる。
【００４４】
また、例えば、端末３０３は、後述する動的ポイント選択のように、プライマリ基地局３０１から下りリンク３０４で送信される下りリンクの情報、または、セカンダリ基地局３０２から下りリンク３０５で送信される下りリンクの情報を、同一サブフレームで受信することができる。動的ポイント選択を行うマルチセル通信では、端末３０３は、いずれの基地局（送信ポイント）から下りリンクの情報が送信されているかを認識しなくても受信処理を行うことができる。
【００４５】
例えば、マルチセル通信には、ＣｏＭＰ伝送方式が含まれる。より具体的には、複数の基地局から、同一の下りリンクの情報が送信されるジョイント送信（ＪＴ；Ｊｏｉｎｔ  ｔｒａｎｓｍｉｓｓｉｏｎ、Ｊｏｉｎｔ  ｐｒｏｃｅｓｓｉｎｇ）が含まれる。また、下りリンクの情報を送信する基地局が動的に切り替わる動的ポイント選択（ＤＰＳ；Ｄｙｎａｍｉｃ  ｐｏｉｎｔ  ｓｅｌｅｃｔｉｏｎ）が含まれる。また、基地局間で協調してビームフォーミングを行うことによって、互いに干渉を低減させる協調ビームフォーミング（ＣＢ；Ｃｏｏｒｄｉｎａｔｅｄ  Ｂｅａｍｆｏｒｍｉｎｇ）が含まれる。また、基地局間で協調してスケジューリングを行うことによって、互いに干渉を低減させる協調スケジューリング（ＣＳ；Ｃｏｏｒｄｉｎａｔｅｄ  Ｓｃｈｅｄｕｌｉｎｇ）が含まれる。
【００４６】
また、例えば、基地局間の通信（例えば、マルチセル通信やシングルセル通信を行うための制御情報のやり取りなど）は、光ファイバ等の有線回線や、リレー等の無線回線が使用される。
【００４７】
ここで、プライマリ基地局３０１およびセカンダリ基地局３０２に対して、異なる物理レイヤセルアイデンティティ（ＰＣＩ；Ｐｈｙｓｉｃａｌ  ｌａｙｅｒ  Ｃｅｌｌ  Ｉｄｅｎｔｉｔｙ、物理レイヤセル識別子とも呼称される）が設定されても良い。また、プライマリ基地局３０１およびセカンダリ基地局３０２の全てまたは一部に対して、同一の物理レイヤセルアイデンティティが設定されても良い。
【００４８】
例えば、端末は、物理レイヤセルアイデンティティを、同期信号（Ｓｙｎｃｈｒｏｎｉｚａｔｉｏｎ  ｓｉｇｎａｌｓ）を用いて検出することができる。また、端末は、基地局によって送信される上位層の信号（例えば、バンドオーバーコマンド）に含まれる情報から、物理レイヤセルアイデンティティを取得することができる。
【００４９】
ここで、下りリンクの情報には、下りリンクデータ（下りリンク共用チャネル（ＤＬ−ＳＣＨ；Ｄｏｗｎｌｉｎｋ  Ｓｈａｒｅｄ  Ｃｈａｎｎｅｌ））が含まれる。また、下りリンクの情報には、下りリンク制御情報（ＤＣＩ；Ｄｏｗｎｌｉｎｋ  Ｃｏｎｔｒｏｌ  Ｉｎｆｏｒｍａｔｉｏｎ）が含まれる。
【００５０】
ここで、ＤＬ−ＳＣＨは、トランスポートチャネルである。ここで、媒体アクセス制御（ＭＡＣ；Ｍｅｄｉｕｍ  Ａｃｃｅｓｓ  Ｃｏｎｔｒｏｌ）層で使用されるチャネルを、トランスポートチャネルと呼称する。また、ＭＡＣ層で用いられるトランスポートチャネルの単位を、トランスポートブロック（Ｔｒａｎｓｐｏｒｔ  Ｂｌｏｃｋ）とも呼称する。
【００５１】
また、ＤＬ−ＳＣＨは、物理下りリンク共用チャネル（ＰＤＳＣＨ；Ｐｈｙｓｉｃａｌ  Ｄｏｗｎｌｉｎｋ  Ｓｈａｒｅｄ  Ｃｈａｎｎｅｌ）にマップされる。すなわち、ＰＤＳＣＨは、下りリンクデータを送信するために使用される。
【００５２】
また、下りリンク制御情報は、物理下りリンク制御チャネル（ＰＤＣＣＨ；Ｐｈｙｓｉｃａｌ  Ｄｏｗｎｌｉｎｋ  Ｃｏｎｔｒｏｌ  Ｃｈａｎｎｅｌ）にマップされる。すなわち、ＰＤＣＣＨは、下りリンク制御情報を送信するために使用される。
【００５３】
また、下りリンク制御情報は、エンハンスト物理下りリンク制御チャネル（Ｅ−ＰＤＣＣＨ；Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、強化されたＰＤＣＣＨ）にマップされても良い。すなわち、Ｅ−ＰＤＣＣＨは、下りリンク制御情報を送信するために使用される。
【００５４】
ここで、基地局は、下りリンクの情報を端末へ送信する場合、基地局と端末との間において既知の信号である下りリンクの参照信号（ＤＲＳ；Ｄｏｗｎｌｉｎｋ  Ｒｅｆｅｒｅｎｃｅ  Ｓｉｇｎａｌｓ）を多重して送信する。ここで、下りリンクの参照信号は、物理信号である。
【００５５】
例えば、下りリンクの参照信号として、少なくとも、異なる３つのタイプの下りリンクの参照信号が定義される。ここで、３つのタイプの下りリンクの参照信号のそれぞれの送信に対して、異なる番号が付与されたアンテナポートが定義される。すなわち、異なるタイプの下りリンクの参照信号のそれぞれは、異なるアンテナポートを使用して送信される。
【００５６】
ここで、例えば、アンテナポートとは、“アンテナポート上のシンボル（例えば、物理信号、下りリンクの参照信号）が運ばれるチャネル（例えば、伝播路）は、同一のアンテナポート上の他のシンボルが運ばれるチャネルから推論される”のように定義される。
【００５７】
例えば、下りリンクの参照信号として、ＰＤＳＣＨに関連するユーザー装置スペシフィック参照信号（Ｕｓｅｒ  Ｅｑｕｉｐｍｅｎｔ−ｓｐｅｃｉｆｉｃ  Ｒｅｆｅｒｅｎｃｅ  Ｓｉｇｎａｌｓ  ａｓｓｏｃｉａｔｅｄ  ｗｉｔｈ  ＰＤＳＣＨ、ＰＤＳＣＨに関連する端末固有参照信号とも呼称される）が定義される。ここで、ユーザー装置スペシフィック参照信号は、ＰＤＳＣＨに関連する復調用参照信号（Ｄｅｍｏｄｕｌａｔｉｏｎ  Ｒｅｆｅｒｅｎｃｅ  Ｓｉｇｎａｌ  ａｓｓｏｃｏａｔｅｄ  ｗｉｔｈ  ＰＤＳＣＨ、ＰＤＳＣＨ  ＤＭ−ＲＳ）とも呼称される。
【００５８】
例えば、ＰＤＳＣＨ  ＤＭ−ＲＳは、端末が、Ｅ−ＰＤＣＣＨに対する伝播路補正を行うために使用される。また、ＰＤＳＣＨ  ＤＭ−ＲＳは、端末が、ＰＤＳＣＨに対する伝播路補正を行うために使用される。また、ＰＤＳＣＨ  ＤＭ−ＲＳは、ある特定の端末を対象として送信される。また、ＰＤＳＣＨ  ＤＭ−ＲＳは、対応するＰＤＳＣＨがマップされる物理リソースブロックのみにおいて送信される。
【００５９】
例えば、ＰＤＳＣＨ  ＤＭ−ＲＳは、アンテナポート７〜１４の、１つまたは複数のアンテナポートで送信される。以下、ＰＤＳＣＨ  ＤＭ−ＲＳの送信に使用されるアンテナポートは、第１のアンテナポートとも記載される。
【００６０】
ここで、端末は、ＰＤＳＣＨ  ＤＭ−ＲＳｓの送信に使用される複数のアンテナポートのそれぞれは、あるセルの中で、長い期間のチャネル特性（ｌｏｎｇ  ｔｅｒｍ  ｃｈａｎｎｅｌ  ｐｒｏｐｅｒｔｉｅｓ、ｌａｒｇｅ−ｓｃａｌｅ  ｐｒｏｐｅｒｔｉｅｓとも呼称される）に関して、クアジコロケイティッドされていると想定することができる。
【００６１】
ここで、アンテナポートがクアジコロケイティッドされているとは、“もし、２つのアンテナポートがクアジコロケイティッドされている場合には、端末は、アンテナポート上のシンボル（例えば、物理信号、下りリンクの参照信号）が運ばれるチャネル（例えば、伝播路）の長い期間のチャネル特性は、他のアンテナポート上のシンボルが運ばれるチャネルから推論される、と想定するかもしれない”と定義される。
【００６２】
すなわち、例えば、端末は、ある下りリンクの参照信号が運ばれるチャネルの長い期間のチャネル特性は、他の下りリンクの参照信号が運ばれるチャネルから推論されると想定することができる。
【００６３】
ここで、長い期間のチャネル特性には、遅延拡散（Ｄｅｌａｙ  ｓｐｒｅａｄ）に関する特性が含まれる。また、長い期間のチャネル特性には、ドップラー拡散（Ｄｏｐｐｌｅｒ  ｓｐｒｅａｄ）に関する特性が含まれる。また、長い期間のチャネル特性には、ドップラーシフト（Ｄｏｐｐｌｅｒ  ｓｈｉｆｔ）に関する特性が含まれる。また、長い期間のチャネル特性には、平均のゲイン（Ａｖｅｒａｇｅ  ｇａｉｎ）に関する特性が含まれる。また、長い期間のチャネル特性には、平均の遅延（Ａｖｅｒａｇｅ  ｄｅｌａｙ）に関する特性が含まれる。
【００６４】
また、下りリンクの参照信号として、チャネル状態情報参照信号（ＣＳＩ−ＲＳ；Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）が定義される。
【００６５】
例えば、ＣＳＩ−ＲＳは、端末が、下りリンクのチャネル状態情報を算出するために使用される。また、ＣＳＩ−ＲＳは、基地局によって設定された帯域のみにおいて送信される。
【００６６】
ここで、基地局は、あるセルにおいて、複数のＣＳＩ−ＲＳｓのそれぞれに関するパラメータを端末へ設定することができる。すなわち、基地局は、ＣＳＩ−ＲＳの複数の設定を実行することができる。
【００６７】
例えば、基地局は、複数のＣＳＩ−ＲＳｓのそれぞれに関するパラメータを、下記に示すｄｅｄｉｃａｔｅｄ  ＲＲＣ  ｓｉｇｎａｌｉｎｇに含めて送信することができる。例えば、基地局は、３つのＣＳＩ−ＲＳｓのそれぞれに関するパラメータを、ｄｅｄｉｃａｔｅｄ  ＲＲＣ  ｓｉｇｎａｌｉｎｇに含めて送信することができる。
【００６８】
ここで、ＣＳＩ−ＲＳに関するパラメータは、ノンゼロパワーＣＳＩ−ＲＳ（ＮＺＰ−ＣＳＩ−ＲＳ；Ｎｏｎ−Ｚｅｒｏ  ｐｏｗｅｒ  ＣＳＩ−ＲＳ）に関するパラメータとも記載される。すなわち、例えば、セル毎に設定可能なノンゼロパワーＣＳＩ−ＲＳ（ノンゼロパワーＣＳＩ−ＲＳリソース）の最大の数は３とすることができる。
【００６９】
ここで、例えば、ＣＳＩ−ＲＳに関するパラメータには、ＣＳＩ−ＲＳリソースを指示するために使用される情報（例えば、ＣＳＩ−ＲＳがマップされるリソース（リソースエレメントでも良い）の位置を指示するために使用される情報）が含まれる。また、ＣＳＩ−ＲＳに関するパラメータには、ＣＳＩ−ＲＳの送信に使用されるアンテナポートの番号を指示するために使用される情報が含まれる。
【００７０】
以下、ＣＳＩ−ＲＳに対する設定は、ＣＳＩ−ＲＳ  ｃｏｎｆｉｇｕｒａｔｉｏｎとも記載される。すなわち、ＣＳＩ−ＲＳ  ｃｏｎｆｉｇｕｒａｔｉｏｎは、ｄｅｄｉｃａｔｅｄ  ＲＲＣ  ｓｉｇｎａｌｉｎｇによって規定される。
【００７１】
また、基地局によって設定された３つのＣＳＩ−ＲＳｓ（３つのＣＳＩ−ＲＳリソースでも良い）のそれぞれは、ＣＳＩ-ＲＳ＃１（または、ＣＳＩ-ＲＳリソース＃１）、ＣＳＩ−ＲＳ＃２（または、ＣＳＩ-ＲＳリソース＃２）、ＣＳＩ−ＲＳ＃３（または、ＣＳＩ-ＲＳリソース＃３）とも記載される。
【００７２】
例えば、ＣＳＩ−ＲＳの送信には、１つ、２つ、４つ、または、８つのアンテナポートの設定がサポートされる。例えば、ＣＳＩ−ＲＳは、アンテナポート１５〜２２の、１つまたは複数のアンテナポートで送信される。以下、ＣＳＩ−ＲＳの送信に使用されるアンテナポートは、第２のアンテナポートとも記載される。
【００７３】
ここで、例えば、異なるパラメータが設定されたＣＳＩ−ＲＳｓのそれぞれ（例えば、ＣＳＩ-ＲＳリソース＃１、ＣＳＩ-ＲＳリソース＃２、ＣＳＩ-ＲＳリソース＃３のそれぞれで送信されるＣＳＩ−ＲＳｓ）は、同一のアンテナポートを使用して送信されても良い。また、例えば、同一のアンテナポートおよび異なるＣＳＩ−ＲＳリソースに関連するＣＳＩ−ＲＳｓのそれぞれが、異なる送信点で送信されても良い。
【００７４】
ここで、端末は、ＣＳＩ−ＲＳｓの送信に使用される複数のアンテナポートのそれぞれは、あるＣＳＩリソースの中で、長い期間のチャネル特性に関して、クアジコロケイティッドされていると想定することができる。すなわち、端末は、あるパラメータが設定されたＣＳＩリソースにマップされるＣＳＩ−ＲＳｓの送信に使用される複数のアンテナポートのそれぞれは、長い期間のチャネル特性に関して、クアジコロケイティッドされていると想定することができる。
【００７５】
すなわち、端末は、ＣＳＩ−ＲＳｓの送信に使用される複数のアンテナポートのそれぞれは、異なるＣＳＩリソースの間において、長い期間のチャネル特性に関して、クアジコロケイティッドされていると想定しないことができる（クアジコロケイティッドされていないと想定することができる）。すなわち、端末は、異なるパラメータが設定されたＣＳＩ−ＲＳリソースにマップされるＣＳＩ−ＲＳｓの送信に使用される複数のアンテナポートのそれぞれは、長い期間のチャネル特性に関して、クアジコロケイティッドされていると想定しないことができる。
【００７６】
また、下りリンクの参照信号として、セルスペシフィック参照信号（ＣＲＳ；Ｃｅｌｌ−ｓｐｅｃｉｆｉｃ  Ｒｅｆｅｒｅｎｃｅ  Ｓｉｇｎａｌｓ、セル固有参照信号とも呼称される）が定義される。ここで、セルスペシフィック参照信号は、共通参照信号（ＣＲＳ；Ｃｏｍｍｏｎ  Ｒｅｆｅｒｅｎｃｅ  Ｓｉｇｎａｌｓ）とも呼称される。
【００７７】
例えば、ＣＲＳは、端末が、下りリンクの周波数領域および時間領域の同期を取るために使用される。また、ＣＲＳは、端末が、ＰＤＣＣＨに対する伝播路補正を行うために使用される。また、ＣＲＳは、端末が、ＰＤＳＣＨに対する伝播路補正を行うために使用される。また、ＣＲＳは、端末が、下りリンクのチャネル状態情報を算出するために使用される。
【００７８】
また、ＣＲＳは、複数の端末を対象として送信される。また、ＣＲＳは、下りリンクにおいて全帯域に渡って送信される。また、ＣＲＳは、ＰＤＳＣＨの送信をサポートするセルにおいて、全ての下りリンクサブフレームで送信される。
【００７９】
例えば、ＣＲＳの送信に対して、１つ、２つ、または、４つのアンテナポートの設定がサポートされる。例えば、ＣＲＳは、アンテナポート０〜３の、１つまたは複数のアンテナポートで送信される。以下、ＣＲＳの送信に使用されるアンテナポートは、第３のアンテナポートとも記載される。
【００８０】
ここで、端末は、ＣＲＳｓの送信に使用される複数のアンテナポートのそれぞれは、あるセルの中で、長い期間のチャネル特性に関して、クアジコロケイティッドされていると想定することができる。
【００８１】
上述のとおり、端末は、同一のタイプの下りリンクの参照信号の送信に使用されるアンテナポートが、クアジコロケイティッドされていると想定することができる。ここで、基地局は、同一のタイプの下りリンクの参照信号の送信に使用されるアンテナポートに対して、クアジコロケイティッドされているかどうかを、端末へ設定しても良い。
【００８２】
ここで、下りリンクの参照信号には、上述した３つのタイプの下りリンクの参照信号以外にも、ＭＢＳＦＮ参照信号（Ｍｕｌｔｉｃａｓｔ／Ｂｒｏａｄｃａｓｔ  ｏｖｅｒ  Ｓｉｇｎａｌ  Ｆｒｅｑｕｅｎｃｙ  Ｎｅｔｗｏｒｋ  Ｒｅｆｅｒｅｎｃｅ  ｓｉｇｎａｌｓ）や、ＥＰＤＣＣＨに関連する復調用参照信号（Ｄｅｍｏｄｕｌａｔｉｏｎ  ｒｅｆｅｒｅｎｃｅ  ｓｉｇｎａｌｓ  ａｓｓｏｃｉａｔｅｄ  ｗｉｔｈ  ＥＰＤＣＣＨ）や、ポジショニング参照信号（Ｐｏｓｉｔｉｏｎｉｎｇ  ｒｅｆｅｒｅｎｃｅ  ｓｉｇｎａｌｓ）が含まれても良い。以下、基本的には、上述した３つのタイプの下りリンクの参照信号について記載する。
【００８３】
また、図３において、下りリンクと上りリンクにおいて、複数のサービングセル（単に、セルとも呼称される）の集約がサポートされても良い（キャリアアグリゲーション（ＣＡ；Ｃａｒｒｉｅｒ  Ａｇｇｒｅｇａｔｉｏｎ）、または、セルアグリゲーション（ＣＡ；Ｃｅｌｌ  Ａｇｇｒｅｇａｔｉｏｎ）と呼称される）。ここで、キャリアアグリゲーションにおいて、１つのサービングセルは、プライマリセル（Ｐｃｅｌｌ；Ｐｒｉｍａｒｙ  ｃｅｌｌ）と定義される。また、キャリアアグリゲーションにおいて、プライマリセル以外のサービングセルは、セカンダリセル（Ｓｃｅｌｌ；Ｓｅｃｏｎｄａｒｙ  Ｃｅｌｌ）と定義される。
【００８４】
ここで、サービングセルは、ＣＡが設定されてない端末に対して、プライマリセルから成る１つのサービングセルとして定義されても良い。また、サービングセルは、ＣＡが設定されている端末に対して、プライマリセルとセカンダリセルから成る（１つまたは）複数のセービングセルのセットとして定義されても良い。
【００８５】
また、下りリンクにおいてサービングセルに対応するキャリアは、下りリンクコンポーネントキャリア（ＤＬＣＣ；Ｄｏｗｎｌｉｎｋ  Ｃｏｍｐｏｎｅｎｔ  Ｃａｒｒｉｅｒ）と定義される。また、下りリンクにおいてプライマリセルに対応するキャリアは、下りリンクプライマリコンポーネントキャリア（ＤＬＰＣＣ；Ｄｏｗｎｌｉｎｋ  Ｐｒｉｍａｒｙ  Ｃｏｍｐｏｎｅｎｔ  Ｃａｒｒｉｅｒ）と定義される。また、下りリンクにおいてセカンダリセルに対応するキャリアは、下りリンクセカンダリコンポーネントキャリア（ＤＬＳＣＣ；Ｄｏｗｎｌｉｎｋ  Ｓｅｃｏｎｄａｒｙ  Ｃｏｍｐｏｎｅｎｔ  Ｃａｒｒｉｅｒ）と定義される。
【００８６】
また、上りリンクにおいてサービングセルに対応するキャリアは、上りリンクコンポーネントキャリア（ＵＬＣＣ；Ｕｐｌｉｎｋ  Ｃｏｍｐｏｎｅｎｔ  Ｃａｒｒｉｅｒ）と定義される。また、上りリンクにおいてプライマリセルに対応するキャリアは、上りリンクプライマリコンポーネントキャリア（ＵＬＰＣＣ；Ｕｐｌｉｎｋ  Ｐｒｉｍａｒｙ  Ｃｏｍｐｏｎｅｎｔ  Ｃａｒｒｉｅｒ）と定義される。また、上りリンクにおいてセカンダリセルに対応するキャリアは、上りリンクセカンダリコンポーネントキャリア（ＵＬＳＣＣ；Ｕｐｌｉｎｋ  Ｓｅｃｏｎｄａｒｙ  Ｃｏｍｐｏｎｅｎｔ  Ｃａｒｒｉｅｒ）と定義される。
【００８７】
例えば、プライマリセルは、端末が、初期コネクション確立（ｉｎｉｔｉａｌ  ｃｏｎｎｅｃｔｉｏｎ  ｅｓｔａｂｌｉｓｈｍｅｎｔ）プロシージャを行うセルとして定義される。また、プライマリセルは、端末が、コネクション再確立（ｃｏｎｎｅｃｔｉｏｎ  ｒｅ−ｅｓｔａｂｌｉｓｈｍｅｎｔ）プロシージャを開始するセルとして定義される。また、プライマリセルは、ハンドオーバプロシージャ中に、基地局によってプライマリセルとして指示されるセルとして定義される。
【００８８】
すなわち、基地局と端末は、あるサブフレームにおいて、複数の物理チャネルでの送受信を行うことができる。ここで、物理チャネルのそれぞれは、いずれか１つのサービングセルにマップされる。すなわち、単一の物理チャネルは、複数のサービングセルにマップされない。
【００８９】
図４は、物理下りリンクチャネルと下りリンクの参照信号のマッピングの一例を示す図である。図４には、１サブフレームにおける２つのリソースブロック（リソースブロックペアとも呼称される）が示されている。例えば、１つのリソースブロックは、周波数領域において１２のサブキャリアと、時間領域において７のＯＦＤＭシンボルによって構成される。
【００９０】
ここで、１サブフレームにおいて、時間領域における７のＯＦＤＭシンボルのそれぞれはスロットとも呼称される。すなわち、１サブフレームは、第１のスロットと第２のスロットから構成される。また、１スロットにおいて、１つのＯＦＤＭシンボル、１つのサブキャリアによって定義されるリソース（最小の時間−周波数の構成単位）はリソースエレメントとも呼称される。
【００９１】
すなわち、物理下りリンクチャネルは、リソースエレメント（ＯＦＤＭシンボルのリソースエレメントでも良い）にマップされる。また、下りリンクの参照信号は、リソースエレメントにマップされる。
【００９２】
ここで、図４において、Ｒｉは、アンテナポートｉにおけるＣＲＳがマップされるリソースエレメント（ＣＲＳの送信に使用されるリソースエレメント）を示している（例えば、ｉ＝０、１、２、３）。
【００９３】
また、Ｄｉは、ＰＤＳＣＨ  ＤＭ−ＲＳグループｉにおけるＰＤＳＣＨ  ＤＭ−ＲＳがマップされるリソースエレメント（ＰＤＳＣＨ  ＤＭ−ＲＳの送信に使用されるリソースエレメント）を示している（例えば、ｉ＝１、２）。
【００９４】
また、Ｃｉは、ＣＳＩ−ＲＳグループｉにおけるＣＳＩ−ＲＳがマップされるリソースエレメント（ＣＳＩ−ＲＳの送信に使用されるリソースエレメント）を示している（例えば、ｉ＝１、２、３、４）。
【００９５】
ここで、基本的には、ＣＲＳは、ＰＤＳＣＨ  ＤＭ−ＲＳおよびＣＳＩ−ＲＳと比較して、時間領域および周波数領域において、より多くのリソースエレメントに配置される（リソースエレメントに配置される際の密度が高い）。
【００９６】
また、ＰＤＳＣＨ  ＤＭ−ＲＳは、ＣＲＳと比較して、時間領域および周波数領域において、少ないリソースエレメントに配置される（リソースエレメントに配置される際の密度が低い）。
【００９７】
ここで、ＣＲＳおよびＣＳＩ−ＲＳは、下りリンク帯域幅の全体にわたってマップされる。また、ある端末を対象とするＰＤＳＣＨ  ＤＭ−ＲＳは、該端末に対してスケジュールされたＰＤＳＣＨリソースの帯域幅と、同一の下りリンク帯域幅のみにマップされる。すなわち、ＰＤＳＣＨ  ＤＭ−ＲＳは、ＣＲＳおよびＣＳＩ−ＲＳと比較して、狭い帯域幅にマップされる。
【００９８】
図５は、物理下りリンクチャネルのマッピングの一例を示す図である。図５には、ＰＤＣＣＨのリソース領域、Ｅ−ＰＤＣＣＨのリソース領域、ＰＤＳＣＨのリソース領域が示されている。また、図５には、コモンサーチスペース（ＣＳＳ；Ｃｏｍｍｏｎ  Ｓｅａｒｃｈ  Ｓｐａｃｅ、共通サーチスペース）、ユーザー装置スペシフィックサーチスペース（ＵＳＳ；ＵＥ−Ｓｐｅｃｉｆｉｃ  Ｓｅａｃｈ  Ｓｐａｃｅ、端末固有のサーチスペース）が示されている。
【００９９】
図５に示すように、例えば、ＰＤＣＣＨは、ＰＤＳＣＨと時間分割多重（ＴＤＭ；Ｔｉｍｅ  Ｄｉｖｉｓｉｏｎ  Ｍｕｌｔｉｐｌｅｘ）されることができる。また、Ｅ−ＰＤＣＣＨは、ＰＤＳＣＨと周波数分割多重（ＦＤＭ；Ｆｒｅｑｕｅｎｃｙ  Ｄｉｖｉｓｉｏｎ  Ｍｕｌｔｉｐｌｅｘ）されることができる。以下、Ｅ−ＰＤＣＣＨは、ＰＤＣＣＨに含まれる。
【０１００】
ここで、ＰＤＣＣＨで送信される下りリンク制御情報に対して、複数のフォーマット（下りリンク制御情報フォーマット；ＤＣＩフォーマット）が定義される。
【０１０１】
例えば、下りリンクに対するＤＣＩフォーマットとして、１つのセルにおける１つのＰＤＳＣＨ（１つのＰＤＳＣＨのコードワード、１つの下りリンクトランスポートブロックの送信）のスケジューリングに使用されるＤＣＩフォーマット１Ａが定義される。以下、ＤＣＩフォーマット１Ａは、第１のＤＣＩフォーマットとも記載される。
【０１０２】
また、下りリンクに対するＤＣＩフォーマットとして、１つのセルにおける１つのＰＤＳＣＨ（２つまでのＰＤＳＣＨのコードワード、２つまでの下りリンクトランスポートブロックの送信）のスケジューリングに使用されるＤＣＩフォーマット２Ｃが定義される。以下、ＤＣＩフォーマット２Ｃは、第２のＤＣＩフォーマットまたは第３のＤＣＩフォーマットとも記載される。
【０１０３】
すなわち、図７の説明において示される制御情報（以下、第１の制御情報とも記載される）が含まれるＤＣＩフォーマット２Ｃは、第２のＤＣＩフォーマットと記載される。また、下記に示される制御情報（第１の制御情報）に関する情報が含まれないＤＣＩフォーマット２Ｃは、第３のＤＣＩフォーマットと記載される。
【０１０４】
また、例えば、下りリンクに対するＤＣＩフォーマットとして、マルチセル通信におけるＰＤＳＣＨのスケジューリングに使用されるＤＣＩフォーマット（以下、ＤＣＩフォーマット２Ｄとも記載される）が定義されても良い。以下、ＤＣＩフォーマット２Ｄは、第２のＤＣＩフォーマットとも記載される。
【０１０５】
ここで、第３のＤＣＩフォーマットには、ＤＣＩフォーマット１やＤＣＩフォーマット１ＢやＤＣＩフォーマット１ＤやＤＣＩフォーマット２やＤＣＩフォーマット２ＡやＤＣＩフォーマット２Ｂなどの、ＤＣＩフォーマット１ＡおよびＤＣＩフォーマット２ＣおよびＤＣＩフォーマット２Ｄとは、異なるＤＣＩフォーマットが含まれても良い。
【０１０６】
例えば、下りリンクに対するＤＣＩフォーマットには、ＰＤＳＣＨのリソース割り当てに関する情報、ＭＣＳ（Ｍｏｄｕｌａｔｉｏｎ  ａｎｄ  Ｃｏｄｉｎｇ  ｓｃｈｅｍｅ）に関する情報、スクランブリングアイデンティティ（スクランブリンク識別子、ｎＳＣＩＤとも呼称される）に関する情報などの下りリンク制御情報が含まれる。ここで、ＰＤＳＣＨのスケジューリングに使用されるＤＣＩフォーマットは、下りリンクアサインメントとも記載される。
【０１０７】
ここで、スクランブリングアイデンティティに関する情報は、下りリンクの参照信号（例えば、ＰＤＳＣＨ  ＤＭ−ＲＳ）の系列の生成に使用されるパラメータを指示するために使用されることができる。例えば、スクランブリングアイデンティティに関する情報は、３ビットの情報ビット（フィールド）にマップされる。
【０１０８】
ここで、例えば、この３ビットの情報ビットを使用して、スクランブリングアイデンティティに関する情報以外の情報（例えば、アンテナポート数やレイヤ数）が指示されても良い。また、この３ビットの情報ビットが、下記に示される制御情報（第１の制御情報）にマップされても良い。
【０１０９】
また、例えば、上りリンクに対するＤＣＩフォーマットとして、１つのセルにおける１つの物理上りリンク共用チャネル（ＰＵＳＣＨ；Ｐｈｙｉｓｌｃａ  Ｕｐｌｉｎｋ  Ｓｈａｒｅｄ  Ｃｈａｎｎｅｌ）（１つのＰＵＳＣＨのコードワード、１つの上りリンクトランスポートブロックの送信）のスケジューリングに使用されるＤＣＩフォーマット０が定義される。
【０１１０】
また、上りリンクに対するＤＣＩフォーマットとして、１つのセルにおける１つのＰＵＳＣＨ（２つまでのＰＵＳＣＨのコードワード、２つまでの上りリンクトランスポートブロックの送信）のスケジューリングに使用されるＤＣＩフォーマット４が定義される。
【０１１１】
また、例えば、上りリンクに対するＤＣＩフォーマットとして、マルチセル通信におけるＰＵＳＣＨのスケジューリングに使用されるＤＣＩフォーマット（以下、ＤＣＩフォーマット５とも記載される）が定義されても良い。
【０１１２】
例えば、上りリンクに対するＤＣＩフォーマットには、ＰＵＳＣＨのリソース割り当てに関する情報、ＭＣＳ（Ｍｏｄｕｌａｔｉｏｎ  ａｎｄ  Ｃｏｄｉｎｇ  ｓｃｈｅｍｅ）に関する情報などの下りリンク制御情報が含まれる。以下、ＰＵＳＣＨのスケジューリングに使用されるＤＣＩフォーマットは、上りリンクグラントとも記載される。
【０１１３】
ここで、端末は、ＰＤＣＣＨ候補（ＰＤＣＣＨ  ｃａｎｄｉｄａｔｅｓ）のセットをモニタする。ここで、ＰＤＣＣＨ候補とは、基地局によって、ＰＤＣＣＨがマップおよび送信される可能性のある候補を示している。また、ＰＤＣＣＨ候補は、１つまたは複数の制御チャネル要素（ＣＣＥ；Ｃｏｎｔｒｏｌ  Ｃｈａｎｎｅｌ  Ｅｌｅｍｅｎｔ）から構成される。
【０１１４】
また、端末は、Ｅ−ＰＤＣＣＨ候補（Ｅ−ＰＤＣＣＨ  ｃａｎｄｉｄａｔｅｓ）のセットをモニタする。ここで、Ｅ−ＰＤＣＣＨ候補とは、基地局によって、Ｅ−ＰＤＣＣＨがマップおよび送信される可能性のある候補を示している。また、Ｅ−ＰＤＣＣＨ候補は、１つまたは複数のＥ−制御チャネル要素（Ｅ−ＣＣＥ；Ｅｎｈａｎｃｅｄ  Ｃｏｎｔｒｏｌ  Ｃｈａｎｎｅｌ  Ｅｌｅｍｅｎｔ）から構成される。
【０１１５】
ここで、モニタとは、モニタされる全てのＤＣＩフォーマットに応じて、ＰＤＣＣＨ候補のセット内のＰＤＣＣＨおよび／またはＥ−ＰＤＣＣＨ候補内のＥ−ＰＤＣＣＨそれぞれに対して、端末がデコードを試みるということを意味する。
【０１１６】
また、端末がモニタするＰＤＣＣＨ候補のセットおよびＥ−ＰＤＣＣＨ候補のセットは、サーチスペースとも呼称される。すなわち、サーチスペースとは、基地局によってＰＤＣＣＨまたはＥ−ＰＤＣＣＨの送信に用いられる可能性のあるリソースのセットである。
【０１１７】
すなわち、ＰＤＣＣＨのリソース領域に、ＣＳＳおよび／またはＵＳＳが構成（定義、設定）される。また、Ｅ−ＰＤＣＣＨのリソース領域に、ＣＳＳおよび／またはＵＳＳが構成（定義、設定）される。
【０１１８】
基地局は、ＰＤＣＣＨのリソース領域のＣＳＳおよび／またはＵＳＳにおいてＰＤＣＣＨを送信（配置）する。また、端末は、ＰＤＣＣＨのリソース領域のＣＳＳおよび／またはＵＳＳにおいてＰＤＣＣＨをモニタし、自装置宛てのＰＤＣＣＨを検出する。
【０１１９】
また、基地局は、Ｅ−ＰＤＣＣＨのリソース領域のＣＳＳおよび／またはＵＳＳにおいてＥ−ＰＤＣＣＨを送信（配置）する。また、端末は、Ｅ−ＰＤＣＣＨのリソース領域のＣＳＳおよび／またはＵＳＳにおいてＥ−ＰＤＣＣＨをモニタし、自装置宛てのＥ−ＰＤＣＣＨを検出する。
【０１２０】
ここで、ＣＳＳは、複数の端末に対する下りリンク制御情報の送信に用いられる。すなわち、ＣＳＳは、複数の端末に対して共通のリソースによって定義される。例えば、ＣＳＳは、基地局と端末との間において予め規定された番号のＣＣＥ（例えば、インデックスが０から１５までのＣＣＥ）から構成される。
【０１２１】
また、ＣＳＳは、特定の端末に対する下りリンク制御情報の送信に用いられても良い。すなわち、基地局は、ＣＳＳにおいて、複数の端末を対象とするＤＣＩフォーマットおよび／または特定の端末を対象とするＤＣＩフォーマットを送信することができる。
【０１２２】
また、ＵＳＳは、特定の端末に対する下りリンク制御情報の送信に用いられる。すなわち、ＵＳＳは、ある端末に対して専用のリソースによって定義される。すなわち、ＵＳＳは、端末のそれぞれに対して独立に定義される。例えば、ＵＳＳは、基地局によって割り当てられた無線ネットワーク一時識別子（ＲＮＴＩ；Ｒａｄｉｏ  Ｎｅｔｗｏｒｋ  Ｔｅｍｐｏｒａｒｙ  Ｉｎｄｅｎｔｉｆｅｒ）や、無線フレームにおけるスロット番号や、アグリゲーションレベルなどに基づいて決定された番号のＣＣＥから構成される。すなわち、基地局は、ＵＳＳにおいて、特定の端末を対象とするＤＣＩフォーマットを送信する。
【０１２３】
ここで、例えば、ＤＣＩフォーマット１Ａ（第１のＤＣＩフォーマット）は、ＣＳＳおよび／またはＵＳＳにおいて送信される。また、ＤＣＩフォーマット２Ｃ／２Ｄ（第２のＤＣＩフォーマット）は、ＵＳＳのみにおいて送信される。ここで、ＤＣＩフォーマット１／１Ｂ／１Ｄ／２／２Ａ／２Ｂ／２Ｃ（第３のＤＣＩフォーマット）は、ＵＳＳのみにおいて送信されても良い。
【０１２４】
すなわち、第１のＤＣＩフォーマットは、１つのセルにおける１つのＰＤＳＣＨのスケジューリングに使用されても良い。また、第１のＤＣＩフォーマットは、ＰＤＣＣＨおよび／またはＥ−ＰＤＣＣＨに対するＣＳＳおよび／またはＵＳＳにおいて送信されても良い。また、第１のＤＣＩフォーマットは、第１の制御情報が含まれなくても良い。
【０１２５】
また、第２のＤＣＩフォーマットは、１つのセルにおける１つのＰＤＳＣＨのスケジューリングに使用されても良い。また、第２のＤＣＩフォーマットは、ＰＤＣＣＨおよび／またはＥ−ＰＤＣＣＨに対するＵＳＳのみにおいて送信されても良い。また、第２のＤＣＩフォーマットは、第１の制御情報が含まれても良い。
【０１２６】
また、第３のＤＣＩフォーマットは、１つのセルにおける１つのＰＤＳＣＨのスケジューリングに使用されても良い。また、第３のＤＣＩフォーマットは、ＰＤＣＣＨおよび／またはＥ−ＰＤＣＣＨに対するＵＳＳのみにおいて送信されても良い。また、第３のＤＣＩフォーマットは、第１の制御情報が含まれなくても良い。
【０１２７】
ここで、下りリンク制御情報の送信（ＰＤＣＣＨまたはＥ−ＰＤＣＣＨでの送信）には、基地局が端末に割り当てたＲＮＴＩが利用される。具体的には、下りリンク制御情報（ＤＣＩフォーマットでも良い）に基づいて生成されたＣＲＣ（Ｃｙｃｌｉｃ  Ｒｅｄｕｎｄａｎｃｙ  Ｃｈｅｃｋ；巡回冗長検査パリティビット（単に、ＣＲＣとも呼称される））が下りリンク制御情報に付加され、付加された後に、ＣＲＣパリティビットがＲＮＴＩでスクランブルされる。
【０１２８】
すなわち、端末は、ＲＮＴＩによってスクランブルされたＣＲＣパリティビットを伴うＰＤＣＣＨ／Ｅ−ＰＤＣＣＨ（下りリンク制御情報、ＤＣＩフォーマットでも良い）に対してデコードを試み、ＣＲＣが成功したＰＤＣＣＨを、自装置宛のＰＤＣＣＨ／Ｅ−ＰＤＣＣＨとして検出する（ブラインドデコーディングとも呼称される）。
【０１２９】
ここで、ＲＮＴＩには、Ｃ−ＲＮＴＩ（Ｃｅｌｌ  ＲＮＴＩ）が含まれる。また、ＲＮＴＩには、ＲＡ−ＲＮＴＩ（Ｒａｎｄｏｍ  Ａｃｃｅｓｓ  ＲＮＴＩ）が含まれる。また、ＲＮＴＩには、Ｐ−ＲＮＴＩ（Ｐａｇｉｎｇ  ＲＮＴＩ）が含まれる。また、ＲＮＴＩには、ＳＩ−ＲＮＴＩ（Ｓｙｓｔｅｍ  Ｉｎｆｏｒｍａｔｉｏｎ  ＲＮＴＩ）が含まれる。
【０１３０】
ここで、Ｃ−ＲＮＴＩは、ＲＲＣ（Ｒａｄｉｏ  Ｒｅｓｏｕｒｃｅ  Ｃｏｎｔｒｏｌ、無線リソース制御）接続およびスケジューリングの識別に対して使用されるユニークな（一意的な）識別子である。例えば、Ｃ−ＲＮＴＩは、動的にスケジュールされるユニキャスト送信のために利用される。
【０１３１】
また、ＲＡ−ＲＮＴＩは、ランダムアクセスプロシージャにおいて、ランダムアクセスレスポンスメッセージを送信する場合に使用される識別子である。例えば、端末は、ランダムアクセスプリアンブルを送信した場合に、ＲＡ−ＲＮＴＩによってスクランブルされたＣＲＣを伴うＰＤＣＣＨをモニタする。
【０１３２】
例えば、端末は、初期コネクション確立（ｉｎｉｔｉａｌ  ｃｏｎｎｅｃｔｉｏｎ  ｅｓｔａｂｌｉｓｈｍｅｎｔ）のために、ランダムアクセスプロシージャを実行する。また、端末は、ハンドオーバーのために、ランダムアクセスプロシージャを実行する。また、端末は、コネクション再確立（ｃｏｎｎｅｃｔｉｏｎ  ｒｅ−ｅａｔａｂｌｉｓｈｍｅｎｔ）のために、ランダムアクセスプロシージャを実行する。また、端末は、ＵＬ−ＳＣＨのリソースを要求するために、ランダムアクセスプロシージャを実行する。
【０１３３】
また、Ｐ−ＲＮＴＩは、ページングおよびシステム情報の通知に使用される識別子である。また、ＳＩ−ＲＮＴＩは、システム情報のブロードキャストに使用される識別子である。
【０１３４】
ここで、Ｃ−ＲＮＴＩによってスクランブルされたＣＲＣを伴うＰＤＣＣＨ／Ｅ−ＰＤＣＣＨは、ＵＳＳまたはＣＳＳで送信されても良い。また、ＲＡ−ＲＮＴＩによってスクランブルされたＣＲＣを伴うＰＤＣＣＨ／Ｅ−ＰＤＣＣＨは、ＣＳＳのみで送信されても良い。また、Ｐ−ＲＮＴＩによってスクランブルされたＣＲＣを伴うＰＤＣＣＨ／Ｅ−ＰＤＣＣＨは、ＣＳＳのみで送信されても良い。また、ＳＩ−ＲＮＴＩによってスクランブルされたＣＲＣを伴うＰＤＣＣＨは、ＣＳＳのみで送信されても良い。
【０１３５】
すなわち、端末は、ＣＲＣが、いずれのＲＮＴＩでスクランブルされているかに基づいて、下りリンク制御情報の解釈を変更する。また、端末は、ＰＤＣＣＨで送信された下りリンク制御情報を使用してスケジュールされたＰＤＳＣＨで下りリンクデータを受信する。以下、ＰＤＳＣＨでの下りリンクデータの送信を、ＰＤＳＣＨの送信とも記載する。また、ＰＤＳＣＨでの下りリンクデータの受信を、ＰＤＳＣＨの受信とも記載する。
【０１３６】
また、基地局と端末は、上位層（Ｈｉｇｈｅｒ  ｌａｙｅｒ）において信号を送受信する。例えば、基地局と端末は、ＲＲＣ層（レイヤ３）において、無線リソース制御信号（ＲＲＣシグナリング；Ｒａｄｉｏ  Ｒｅｓｏｕｒｃｅ  Ｃｏｎｔｒｏｌ  ｓｉｇｎａｌｉｎｇ、ＲＲＣメッセージ；Ｒａｄｉｏ  Ｒｅｓｏｕｒｃｅ  Ｃｏｎｔｒｏｌ  ｍｅｓｓａｇｅ、ＲＲＣ情報；Ｒａｄｉｏ  Ｒｅｓｏｕｒｃｅ  Ｃｏｎｔｒｏｌ  ｉｎｆｏｒｍａｔｉｏｎとも呼称される）を送受信する。
【０１３７】
ここで、ＲＲＣ層において、基地局によって、ある端末に対して送信される専用の信号は、ｄｅｄｉｃａｔｅｄ  ＲＲＣ  ｓｉｇｎａｌｉｎｇ（専用の信号、ｄｅｄｉｃａｔｅｄ  ｓｉｇｎａｌｉｎｇ）とも呼称される。すなわち、ある端末に対して専用（固有）な設定（情報）は、基地局によって、ｄｅｄｉｃａｔｅｄ  ＲＲＣ  ｓｉｇｎａｌｉｎｇを使用して送信される。
【０１３８】
また、基地局と端末は、ＭＡＣ（Ｍｅｄｉａｍ  Ａｃｃｅｓｓ  Ｃｏｎｔｒｏｌ）層（レイヤ２）において、ＭＡＣコントロールエレメントを送受信する。ここで、ＲＲＣシグナリングおよび／またはＭＡＣコントロールエレメントは、上位層の信号（ｈｉｇｈｅｒ  ｌａｙｅｒ  ｓｉｇｎａｌｉｎｇ）とも呼称される。
【０１３９】
図６は、本実施形態を説明するための図である。図６には、図３におけるプライマリ基地局３０１に対応するプライマリ基地局が示されている。また、図３におけるセカンダリ基地局３０２に対応するセカンダリ基地局が２つ示されている。また、図３における端末３０３に対応する端末が示されている。
【０１４０】
上述の通り、図６において、基地局は、ＣＳＩ−ＲＳに関するパラメータを端末へ設定することができる。例えば、基地局は、複数のＣＳＩ−ＲＳｓ（例えば、ＣＳＩ-ＲＳリソース＃１、ＣＳＩ-ＲＳリソース＃２、ＣＳＩ-ＲＳリソース＃３）に関するパラメータを、ｄｅｄｉｃａｔｅｄ  ＲＲＣ  ｓｉｇｎａｌｉｎｇに含めて送信することができる。
【０１４１】
ここで、基地局は、ＣＳＩ−ＲＳに関する複数のパラメータ（ＣＳＩ−ＲＳに関するパラメータのセット）をｄｅｄｉｃａｔｅｄ  ＲＲＣ  ｓｉｇｎａｌｉｎｇを使用して設定し、さらに、設定したＣＳＩ−ＲＳに関する複数のパラメータから１つのパラメータを、ＤＣＩフォーマット（例えば、下りリンクアサインメント）に含まれる制御情報（第１の制御情報でも良い）を使用して指示しても良い。
【０１４２】
また、図６において、基地局は、ＰＤＳＣＨ  ＤＭ−ＲＳに関するパラメータを端末へ設定することができる。例えば、基地局は、ＰＤＳＣＨ  ＤＭ−ＲＳに関するパラメータを、ｄｅｄｉｃａｔｅｄ  ＲＲＣ  ｓｉｇｎａｌｉｎｇに含めて送信することができる。
【０１４３】
ここで、基地局は、ＰＤＳＣＨ  ＤＭ−ＲＳに関する複数のパラメータ（ＰＤＳＣＨ  ＤＭ−ＲＳに関するパラメータのセット）をｄｅｄｉｃａｔｅｄ  ＲＲＣ  ｓｉｇｎａｌｉｎｇを使用して設定し、さらに、設定したＰＤＳＣＨ  ＤＭ−ＲＳに関する複数のパラメータから１つのパラメータを、ＤＣＩフォーマット（例えば、下りリンクアサインメント）に含まれる制御情報（第１の制御情報でも良い）を使用して指示しても良い。
【０１４４】
例えば、ＰＤＳＣＨ  ＤＭ−ＲＳに関するパラメータには、ＰＤＳＣＨ  ＤＭ−ＲＳに対する仮想セルアイデンティティ（ＶＣＩ；Ｖｉｒｔｕａｌ  Ｃｅｌｌ  Ｉｄｅｎｔｉｔｙ）を指示するために使用される情報（例えば、仮想セルアイデンティティの値）が含まれる。ここで、例えば、仮想セルアイデンティティの値は、ＰＤＳＣＨ  ＤＭ−ＲＳの系列の生成に使用されることができる。また、２つの仮想セルアイデンティティの値のそれぞれのデフォルト値として、物理レイヤセルアイデンティティが使用されても良い。
【０１４５】
以下、ＰＤＳＣＨ  ＤＭ−ＲＳに対する設定を、ＰＤＳＣＨ  ＤＭ−ＲＳ  ｃｏｎｆｉｇｕｒａｔｉｏｎとも記載する。すなわち、ＰＤＳＣＨ  ＤＭ−ＲＳ  ｃｏｎｆｉｇｕｒａｔｉｏｎは、ｄｅｄｉｃａｔｅｄ  ＲＲＣ  ｓｉｇｎａｌｉｎｇによって規定される。
【０１４６】
また、図６において、基地局は、ＣＲＳに関するパラメータを端末へ設定することができる。例えば、基地局は、複数のＣＲＳｓ（ＣＲＳ（Ｃｅｌｌ  ＩＤ＃１）、ＣＲＳ（Ｃｅｌｌ  ＩＤ＃２）、ＣＲＳ（Ｃｅｌｌ  ＩＤ＃２））に関するパラメータを、ｄｅｄｉｃａｔｅｄ  ＲＲＣ  ｓｉｇｎａｌｉｎｇに含めて送信することができる。ここで、例えば、Ｃｅｌｌ  ＩＤ＃Ｘ（Ｘ＝１、２、３）は、物理レイヤセルアイデンティティを示している。すなわち、例えば、ＣＲＳ（Ｃｅｌｌ  ＩＤ＃Ｘ）は、物理レイヤセルアイデンティティＸが設定されたセルで送信されるＣＲＳを示している。
【０１４７】
ここで、基地局は、ＣＲＳに関する複数のパラメータ（ＣＲＳに関するパラメータのセット）をｄｅｄｉｃａｔｅｄ  ＲＲＣ  ｓｉｇｎａｌｉｎｇを使用して設定し、さらに、設定したＣＲＳに関する複数のパラメータから１つのパラメータを、ＤＣＩフォーマット（例えば、下りリンクアサインメント）に含まれる制御情報（第１の制御情報でも良い）を使用して指示しても良い。
【０１４８】
例えば、ＣＲＳに関するパラメータには、ＣＲＳの位置（以下、ＣＲＳポジションとも記載される）を指示するために使用される情報が含まれる。例えば、基地局は、複数のＣＲＳｓ（例えば、３つのＣＲＳｓ）のそれぞれがマップされるリソース（リソースエレメントでも良い）の位置を設定することができる。
【０１４９】
例えば、ＣＲＳの位置を指示するために使用される情報には、ＣＲＳの周波数シフト（周波数方向の位置）を示すための情報が含まれても良い。また、ＣＲＳの位置を指示するために使用される情報には、ＣＲＳの送信に使用されるアンテナポートの数を示すための情報が含まれても良い。
【０１５０】
例えば、ＣＲＳに関するパラメータには、ＣＲＳの物理レイヤセルアイデンティティＸを指示するために使用される情報が含まれても良い。また、ＣＲＳに関するパラメータには、ＣＲＳの送信に使用されるアンテナポートの数を指示するために使用される情報が含まれても良い。ここで、ＣＲＳの周波数シフト（すなわち、ＣＲＳの位置）は、物理レイヤセルアイデンティティに基づいて決定（算出）される。
【０１５１】
ここで、ＣＲＳに対して使用されるリソースエレメントの位置には、物理下りリンクチャネルはマップされない。例えば、ＰＤＳＣＨがリソースエレメントにマップされる際に、もし、そのリソースエレメントに、ＰＤＳＣＨ以外の物理信号／物理チャネル（例えば、ＣＲＳなど）がマップされる場合、ＰＤＳＣＨは、該物理信号／該物理チャネルがマップされるリソースエレメントに対してレートマッチング（ｒａｔｅ−ｍａｔｃｈｉｎｇ）される。
【０１５２】
ここで、レートマッチングとは、例えば、ＰＤＳＣＨを、ＰＤＳＣＨ以外の物理信号／物理チャネルがマップされるリソースエレメントを避けるようにしてマップする処理を示している。
【０１５３】
すなわち、ＰＤＳＣＨは、ＰＤＳＣＨ以外の物理信号／物理チャネルがマップされるリソースエレメントを除くリソースエレメントにマップされる。すなわち、ＰＤＳＣＨは、ＰＤＳＣＨ以外の物理信号／物理チャネルに対して使用されないリソースエレメントにマップされる。
【０１５４】
ここで、端末が、基地局によってＰＤＳＣＨがレートマッチングされたことを想定しないでＰＤＳＣＨを受信した場合、ＰＤＳＣＨに対する受信特性は劣化してしまう。従って、基地局と端末は、ＰＤＳＣＨに対する受信特性の劣化を避けるために、ＰＤＳＣＨ以外の物理信号／物理チャネルがマップされるリソースエレメントに基づいて、ＰＤＳＣＨを送受信することが好ましい。
【０１５５】
すなわち、端末は、基地局によって設定されたＣＲＳの位置に基づいてＰＤＳＣＨでの受信を行う。ここで、下記に示すように、端末は、Ｂｅｈａｉｖｏｕｒ  Ａ（動作Ａ）、Ｂｅｈａｉｖｏｕｒ  Ｂ１（動作Ｂ１）において、サービングセルにおけるＣＲＳの位置（少なくとも、サービングセルの物理レイヤセルアイデンティティから決定されるＣＲＳの位置）に基づいて、ＰＤＳＣＨでの受信を行う（以下、ＰＣＩに基づくＰＤＳＣＨの受信とも記載される）。
【０１５６】
また、基地局は、端末がＢｅｈａｉｖｏｕｒ  Ａ（動作Ａ）、Ｂｅｈａｉｖｏｕｒ  Ｂ１（動作Ｂ１）を実行する場合に、サービングセルにおけるＣＲＳの位置（少なくとも、サービングセルの物理レイヤセルアイデンティティから決定されるＣＲＳの位置）に基づいて、ＰＤＳＣＨでの送信を行う（以下、ＰＣＩに基づくＰＤＳＣＨの送信とも記載される）。
【０１５７】
また、下記に示すように、端末は、Ｂｅｈａｉｖｏｕｒ  Ｂ２（動作Ｂ２）において、基地局によって設定されたＣＲＳの位置（上位層によって端末へシグナルされたＣＲＳの位置）に基づいて、ＰＤＳＣＨでの受信を行う（以下、第１の設定に基づくＰＤＳＣＨの受信とも記載する）。
【０１５８】
また、下記に示すように、基地局は、端末がＢｅｈａｉｖｏｕｒ  Ｂ２（動作Ｂ２）を実行する場合に、端末へ設定したＣＲＳの位置（上位層によって端末へシグナルされたＣＲＳの位置）に基づいて、ＰＤＳＣＨでの送信を行う（以下、第１の設定に基づくＰＤＳＣＨの送信とも記載する）。
【０１５９】
ここで、基地局と端末は、第１の設定に基づくＰＤＳＣＨの受信として、サービングセルの物理レイヤセルアイデンティティから決定されるＣＲＳの位置に加えて、基地局によって設定されたＣＲＳの位置に基づいて、ＰＤＳＣＨでの送信／受信を行っても良い。
【０１６０】
以下、ＣＲＳに対する設定を、ＣＲＳ  ｃｏｎｆｉｇｕｒａｔｉｏｎとも記載する。すなわち、ＣＲＳ  ｃｏｎｆｉｇｕｒａｔｉｏｎは、ｄｅｄｉｃａｔｅｄ  ＲＲＣ  ｓｉｇｎａｌｉｎｇによって規定される。
【０１６１】
また、図６において、基地局は、異なるタイプの下りリンクの参照信号の送信に使用されるアンテナポートに対して、クアジコロケイティッドされているかどうかを、端末へ設定することができる。すなわち、端末は、異なるタイプの下りリンクの参照信号の送信に使用されるアンテナポートに対して、クアジコロケイティッドされていると想定することができる。
【０１６２】
例えば、基地局は、第１のアンテナポート、および／または、第２のアンテナポート、および／または、第３のアンテナポートに対して、クアジコロケイティッドされているかどうかを指示するために使用される情報（以下、クアジコロケーションに関するパラメータとも記載される）を、ｄｅｄｉｃａｔｅｄ  ＲＲＣ  ｓｉｇｎａｌｉｎｇに含めて送信することができる。
【０１６３】
ここで、クアジコロケーションに関するパラメータには、上述したＣＲＳに関するパラメータが含まれても良い。また、クアジコロケーションに関するパラメータには、上述したＰＤＳＣＨ  ＤＭ−ＲＳに関するパラメータが含まれても良い。また、クアジコロケーションに関するパラメータには、上述したＣＳＩ−ＲＳに関するパラメータが含まれても良い。
【０１６４】
ここで、基地局は、クアジコロケーションに関するパラメータをＣＳＩ−ＲＳ  ｃｏｎｆｉｇｕｒａｔｉｏｎに含めて端末へ設定しても良い。また、基地局は、クアジコロケーションに関するパラメータをＰＤＳＣＨ  ＤＭ−ＲＳ  ｃｏｎｆｉｇｕｒａｔｉｏｎに含めて端末へ設定しても良い。また、基地局は、クアジコロケーションに関するパラメータをＣＲＳ  ｃｏｎｆｉｇｕｒａｔｉｏｎに含めて端末へ設定しても良い。
【０１６５】
例えば、図６に示すように、基地局は、ＣＳＩ−ＲＳリソース＃１が、ＣＲＳ（Ｃｅｌｌ  ＩＤ＃１）とクアジコロケイティッドされることを設定しても良い。また、基地局は、ＣＳＩ−ＲＳリソース＃２が、ＣＲＳ（Ｃｅｌｌ  ＩＤ＃２）とクアジコロケイティッドされることを設定しても良い。また、基地局は、ＣＳＩ−ＲＳ＃リソース３が、ＣＲＳ（Ｃｅｌｌ  ＩＤ＃３）とクアジコロケイティッドされることを設定しても良い。
【０１６６】
また、基地局は、ＰＤＳＣＨ  ＤＭ−ＲＳが、ＣＲＳ（Ｃｅｌｌ  ＩＤ＃２）とクアジコロケイティッドされることを設定しても良い。また、基地局は、ＣＳＩ−ＲＳリソース＃２が、ＰＤＳＣＨ  ＤＭ−ＲＳとクアジコロケイティッドされることを設定しても良い。
【０１６７】
図７は、本実施形態を説明するための別の図である。図７に示すように、基地局は、クアジコロケーションに関する複数のパラメータ（クアジコロケーションに関するパラメータのセット）をｄｅｄｉｃａｔｅｄ  ＲＲＣ  ｓｉｇｎａｌｉｎｇを使用して設定し、さらに、設定したクアジコロケーションに関する複数のパラメータから１つのパラメータを、ＤＣＩフォーマット（例えば、下りリンクアサインメント）に含まれる制御情報（第１の制御情報）を使用して指示しても良い。
【０１６８】
例えば、ＤＣＩフォーマットに定義される２ビットのフィールド（または、３ビットのフィールド）が、第１の制御情報にマップされる。ここで、上述したように、スクランブリングアイデンティティに関する情報にマップされるフィールドを、第１の制御情報として使用しても良い。例えば、新たに定義される２ビットのフィールドと、スクランブリングアイデンティティに関する情報にマップされる３ビットのフィールドの一部または全てを使用して、第１の制御情報が表されても良い。
【０１６９】
ここで、例えば、第１の制御情報は、所定のＤＣＩフォーマット以外のＤＣＩフォーマットに含まれても良い。ここで、所定のＤＣＩフォーマット以外のＤＣＩフォーマットとは、ＤＣＩフォーマット２Ｄ（第２のＤＣＩフォーマット）を示している。また、ＤＣＩフォーマット２Ｃには、第１の制御情報が含まれても良い。
【０１７０】
また、例えば、第１の制御情報は、所定のＤＣＩフォーマットには含まれなくても良い。ここで、所定のＤＣＩフォーマットとは、ＤＣＩフォーマット１Ａ（第１のＤＣＩフォーマット）を示している。また、所定のＤＣＩフォーマットとは、ＤＣＩフォーマット１／１Ｂ／１Ｄ／２／２Ａ／２Ｂ／２Ｃ（第３のＤＣＩフォーマット）が含まれても良い。
【０１７１】
例えば、所定のＤＣＩフォーマットは、仕様などによって、予め規定されても良い。すなわち、所定のＤＣＩフォーマットは、基地局と端末との間で既知の情報としておくことができる。
【０１７２】
また、例えば、第１の制御情報は、Ｃ−ＲＮＴＩでスクランブルされたＣＲＣを伴うＰＤＣＣＨでＤＣＩフォーマットが送信される場合には、ＤＣＩフォーマットに含まれても良い。すなわち、第１の制御情報は、ＲＡ−ＲＮＴＩでスクランブルされたＣＲＣを伴うＰＤＣＣＨでＤＣＩフォーマットが送信される場合には、ＤＣＩフォーマットに含まれなくても良い。また、第１の制御情報は、Ｐ−ＲＮＴＩでスクランブルされたＣＲＣを伴うＰＤＣＣＨでＤＣＩフォーマットが送信される場合には、ＤＣＩフォーマットに含まれなくても良い。また、第１の制御情報は、ＳＩ−ＲＮＴＩでスクランブルされたＣＲＣを伴うＰＤＣＣＨでＤＣＩフォーマットが送信される場合には、ＤＣＩフォーマットに含まれなくても良い。
【０１７３】
また、例えば、第１の制御情報は、基地局によって設定された場合にのみ、一部、または、全てのＤＣＩフォーマットに含まれても良い。例えば、基地局は、一部、または、全てのＤＣＩフォーマットに、第１の制御情報が含まれるかどうかを指示する情報を、ｄｅｄｉｃａｔｅｄ  ＲＲＣ  ｓｉｇｎａｌｉｎｇを使用して送信しても良い。
【０１７４】
ここで、基地局は、ＰＤＳＣＨでの送信（ＰＤＳＣＨでの受信でも良い）に対する送信モードを端末へ設定することができる。例えば、基地局は、送信モードを指示するために使用される情報を、ｄｅｄｉｃａｔｅｄ  ＲＲＣ  ｓｉｇｎａｌｉｎｇに含めて送信しても良い。
【０１７５】
ここで、例えば、第１の制御情報は、基地局によって、所定の送信モード（例えば、送信モード１０）が設定された場合にのみ、一部、または、全てのＤＣＩフォーマットに含まれても良い。以下、所定の送信モード（すなわち、送信モード１０）は、第１の送信モードとも記載される。
【０１７６】
すなわち、第１の制御情報は、基地局によって、所定の送信モード以外の送信モード（例えば、送信モード１から送信モード９のいずれかの送信モード）が設定された場合には、ＤＣＩフォーマットに含まれなくても良い。以下、所定の送信モード以外の送信モード（すなわち、送信モード１から送信モード９のいずれかの送信モード）は、第２の送信モードとも記載される。
【０１７７】
例えば、基地局は、送信モード１０を設定した場合にのみ、ＤＣＩフォーマット２Ｃに第１の制御情報を含めても良い。また、基地局は、送信モード１０を設定した場合にのみ、ＤＣＩフォーマット２Ｄに第１の制御情報を含めても良い。ここで、基地局は、送信モード１０を設定した場合にのみ、ＤＣＩフォーマット２Ｄを送信しても良い。
【０１７８】
ここで、端末は、送信モード１０において、ＤＣＩフォーマット１Ａ（第１のＤＣＩフォーマット）およびＤＣＩフォーマット２Ｄ（第２のＤＣＩフォーマット）をモニタしても良い。また、端末は、送信モード１から送信モード９のいずれかの送信モードにおいて、ＤＣＩフォーマット１Ａ（第１のＤＣＩフォーマット）および第３のＤＣＩフォーマットのうちのいずれか１つをモニタしても良い。
【０１７９】
ここで、所定の送信モードは、仕様などによって、予め規定されても良い。すなわち、所定の送信モードは、基地局と端末との間で既知の情報としておくことができる。例えば、所定の送信モードには、マルチセル通信においてＰＤＳＣＨでの送信が行われるモードが含まれても良い。
【０１８０】
図７では、ＣＳＩ−ＲＳに関するパラメータの第１のセットから第４のセット（ＣＳＩ−ＲＳに関するパラメータの４つのセット）を設定されることが示されている。また、ＣＲＳに関するパラメータの第１のセットから第４のセット（ＣＲＳに関するパラメータの４つのセット）が設定されることが示されている。
【０１８１】
さらに、ＤＣＩフォーマットに含まれる第１の制御情報に基づいて、ＣＳＩ−ＲＳに関するパラメータおよびＣＲＳに関するパラメータが指示されることが示されている。すなわち、第１の制御情報として定義された２ビットの情報ビット（２ビットの情報ビットによって表される“００”、“０１”、“１０”、“１１”の状態）に基づいて、ＣＳＩ−ＲＳに関するパラメータおよびＣＲＳに関するパラメータが指示されることが示されている。
【０１８２】
図７に示すように、基地局は、第１の制御情報を使用して、ＣＳＩ−ＲＳリソースを指示することができる。ここで、基地局は、第１の制御情報を使用してＣＳＩ−ＲＳリソースを指示することによって、該ＣＳＩ−ＲＳリソースにマップされるＣＳＩ−ＲＳの送信に使用されるアンテナポート（第２のアンテナポート）が、ＰＤＳＣＨ  ＤＭ−ＲＳの送信に使用されるアンテナポート（第１のアンテナポート）とクアジコロケイティッドされていることを示すことができる。
【０１８３】
すなわち、基地局は、第２のアンテナポートを使用して送信されるＣＳＩ−ＲＳが、第１の制御情報を使用して指示されたＣＳＩ−ＲＳリソースにマップされた時にだけ、第２のアンテナポートが、第１のアンテナポートとクアジコロケイティッドされていることを示すことができる。
【０１８４】
すなわち、端末は、第１の制御情報を使用して指示されたＣＳＩ−ＲＳリソースにマップされるＣＳＩ−ＲＳの送信に使用されるアンテナポート（第２のアンテナポート）が、ＰＤＳＣＨ  ＤＭ−ＲＳの送信に使用されるアンテナポート（第１のアンテナポート）とクアジコロケイティッドされていると想定することができる。
【０１８５】
すなわち、端末は、第２のアンテナポートを使用して送信されるＣＳＩ−ＲＳが、第１の制御情報を使用して指示されたＣＳＩ−ＲＳリソースにマップされた時にだけ、第２のアンテナポートが、第１のアンテナポートとクアジコロケイティッドされていると想定することができる。
【０１８６】
例えば、基地局は、“００”に設定した２ビットの情報ビット（すなわち、第１の制御情報）が含まれるＤＣＩフォーマットを送信することによって、第１のセットを使用して設定したＣＳＩ−ＲＳリソース（例えば、図６に示すように、ＣＳＩ−ＲＳリソース＃２）を指示することができる。すなわち、第２のアンテナポートを使用して送信されるＣＳＩ−ＲＳが、ＣＳＩ−ＲＳリソース＃２にマップされた時にだけ、第２のアンテナポートが、第１のアンテナポートとクアジコロケイティッドされることを示すことができる。
【０１８７】
また、端末は、“００”に設定された２ビットの情報ビット（すなわち、第１の制御情報）が含まれるＤＣＩフォーマットを受信することによって、第２のアンテナポートを使用して送信されるＣＳＩ−ＲＳが、ＣＳＩ−ＲＳリソース＃２にマップされた時にだけ、第２のアンテナポートが、第１のアンテナポートとクアジコロケイティッドされていると想定することができる。ここで、ＰＤＳＣＨ（ＰＤＳＣＨのリソース）は、“００”に設定された２ビットの情報ビット（すなわち、第１の制御情報）が含まれるＤＣＩフォーマットを使用してスケジュールされる。
【０１８８】
以下、基本的には、端末の動作について記載するが、基地局が、端末の動作に対応する動作をすることは勿論である。
【０１８９】
ここで、端末は、２つの動作をサポートする。以下、端末によってサポートされる動作は、Ｂｅｈａｖｉｏｕｒ  Ａ、Ｂｅｈａｖｉｏｕｒ  Ｂとも記載される。さらに、Ｂｅｈａｖｉｏｕｒ  Ｂは、条件に基づいて、Ｂｅｈａｖｉｏｕｒ  Ｂ１とＢｅｈａｖｉｏｕｒ  Ｂ２として定義される。
【０１９０】
ここで、Ｂｅｈａｖｉｏｕｒ  Ａは、端末が、少なくとも、第１のアンテナポートと第２のアンテナポートと第３のアンテナポートが、クアジコロケイティッドされていると想定することを示している。
【０１９１】
また、Ｂｅｈａｖｉｏｕｒ  Ａは、端末が、全ての下りリンクの信号（ここで、下りリンクの信号には、下りリンクの参照信号が含まれても良い）の送信に使用されるアンテナポートのそれぞれが、クアジコロケイティッドされていると想定することを示しても良い。
【０１９２】
ここで、端末は、Ｂｅｈａｖｉｏｕｒ  Ａにおいて、ＰＣＩに基づくＰＤＳＣＨの受信を行っても良い。すなわち、基地局は、Ｂｅｈａｖｉｏｕｒ  Ａにおいて、ＰＣＩに基づくＰＤＳＣＨの送信を行っても良い。
【０１９３】
また、端末は、Ｂｅｈａｖｉｏｕｒ  Ａにおいて、物理レイヤセルアイデンティティに基づいて生成されたＰＤＳＣＨ  ＤＭ−ＲＳを受信しても良い。すなわち、基地局は、Ｂｅｈａｖｉｏｕｒ  Ａにおいて、物理レイヤセルアイデンティティに基づいてＰＤＳＣＨ  ＤＭ−ＲＳを生成しても良い。
【０１９４】
また、Ｂｅｈａｖｉｏｕｒ  Ｂ１は、端末が、少なくとも、第１のアンテナポートと第２のアンテナポートが、クアジコロケイティッドされていないと想定することを示している（クアジコロケイティッドされていると想定しないことを示している）。
【０１９５】
ここで、Ｂｅｈａｖｉｏｕｒ  Ｂ１は、端末が、第１のアンテナポートと第２のアンテナポートと第３のアンテナポートが、クアジコロケイティッドされていないと想定することが含まれても良い。
【０１９６】
また、Ｂｅｈａｖｉｏｕｒ  Ｂ１は、端末が、ＰＣＩに基づいて系列が生成されたＣＳＩ−ＲＳが第２のアンテナポートを使用して送信された時にだけ、第２のアンテナポートが、第１のアンテナポートとクアジコロケイティッドされていると想定することが含まれても良い。
【０１９７】
また、Ｂｅｈａｖｉｏｕｒ  Ｂ１は、端末が、第１のアンテナポートと第３のアンテナポートが、クアジコロケイティッドされていると想定することが含まれても良い。
【０１９８】
ここで、端末は、Ｂｅｈａｖｉｏｕｒ  Ｂ１において、ＰＣＩに基づくＰＤＳＣＨの受信を行っても良い。すなわち、基地局は、Ｂｅｈａｖｉｏｕｒ  Ｂ１において、ＰＣＩに基づくＰＤＳＣＨの送信を行っても良い。
【０１９９】
また、端末は、Ｂｅｈａｖｉｏｕｒ  Ｂ１において、物理レイヤセルアイデンティティに基づいて生成されたＰＤＳＣＨ  ＤＭ−ＲＳを受信しても良い。すなわち、基地局は、Ｂｅｈａｖｉｏｕｒ  Ｂ１において、物理レイヤセルアイデンティティに基づいてＰＤＳＣＨ  ＤＭ−ＲＳを生成しても良い。
【０２００】
また、Ｂｅｈａｖｉｏｕｒ  Ｂ２は、端末が、少なくとも、ＣＳＩ−ＲＳリソースにマップされるＣＳＩ−ＲＳの送信に使用されるアンテナポート（第２のアンテナポート）が、ＰＤＳＣＨ  ＤＭ−ＲＳの送信に使用されるアンテナポートとクアジコロケイティッドされていると想定することを示している。ここで、ＣＳＩ−ＲＳリソースの指示の方法は、上述した通りである。
【０２０１】
すなわち、Ｂｅｈａｖｉｏｕｒ  Ｂ２は、端末が、少なくとも、第２のアンテナポートを使用して送信されるＣＳＩ−ＲＳが、ＣＳＩ−ＲＳリソースにマップされた時にだけ、第２のアンテナポートが、第１のアンテナポートとクアジコロケイティッドされていると想定することを示している。
【０２０２】
ここで、Ｂｅｈａｖｉｏｕｒ  Ｂ２は、端末が、ＣＳＩ−ＲＳリソースにマップされるＣＳＩ−ＲＳの送信に使用されるアンテナポート（第２のアンテナポート）が、ＣＲＳの送信に使用されるアンテナポート（第１のアンテナポート）とクアジコロケイティッドされていると想定することが含まれても良い。
【０２０３】
また、Ｂｅｈａｖｉｏｕｒ  Ｂ２は、端末が、ＰＤＳＣＨ  ＤＭ−ＲＳの送信に使用されるアンテナポート（第１のアンテナポート）が、ＣＲＳの送信に使用されるアンテナポート（第３のアンテナポート）とクアジコロケイティッドされていると想定することが含まれても良い。
【０２０４】
ここで、端末は、Ｂｅｈａｖｉｏｕｒ  Ｂ２において、第１の設定に基づくＰＤＳＣＨの受信を行っても良い。すなわち、基地局は、Ｂｅｈａｖｉｏｕｒ  Ｂ２において、第１の設定に基づくＰＤＳＣＨの送信を行っても良い。
【０２０５】
また、端末は、Ｂｅｈａｖｉｏｕｒ  Ｂ２において、仮想セルアイデンティティに基づいて生成されたＰＤＳＣＨ  ＤＭ−ＲＳを受信しても良い。すなわち、基地局は、Ｂｅｈａｖｉｏｕｒ  Ｂ２において、仮想セルアイデンティティに基づいてＰＤＳＣＨ  ＤＭ−ＲＳを生成しても良い。
【０２０６】
例えば、Ｂｅｈａｖｉｏｕｒ  Ｂ（Ｂｅｈａｖｉｏｕｒ  Ｂ１、Ｂｅｈａｖｉｏｕｒ  Ｂ２）は、典型的には、下りリンクにおいてマルチセル通信（例えば、ＤＬ  ＣｏＭＰ；Ｄｏｗｎｌｉｎｋ  ＣｏＭＰ、すなわち、送信モード１０）が設定されている場合に起こり得る。
【０２０７】
ここで、例えば、Ｂｅｈａｖｉｏｕｒ  Ａにおいて、端末は、時間同期および／または周波数同期に対してサービングセルの同期信号およびＣＲＳを利用し、ＣＳＩ−ＲＳ（例えば、ＣＳＩの推定）とＰＤＳＣＨ  ＤＭ−ＲＳ（例えば、ＰＤＳＣＨの復調）に対して同一の同期を適用しても良い。
【０２０８】
また、Ｂｅｈａｖｉｏｕｒ  Ａにおいて、端末は、ＣＲＳに基づいたチャネル推定のパラメータを、ＣＳＩ−ＲＳ（例えば、ＣＳＩ−ＲＳの推定）とＰＤＳＣＨ  ＤＭ−ＲＳ（例えば、ＰＤＳＣＨの復調）を使用したチャネルの推定に利用しても良い。ここで、例えば、ＣＲＳに基づいたチャネル推定のパラメータには、遅延拡散（ｄｅｌａｙ  ｓｐｒｅａｄ、すなわち、周波数領域におけるフィルタ）やドップラー拡散（ｄｏｐｐｌｅｒ  ｓｐｒｅａｄ、すなわち、時間領域におけるフィルタ）が含まれる。  
【０２０９】
また、Ｂｅｈａｖｉｏｕｒ  Ｂ１において、端末は、アンテナポートに関するいかなる関連性も認識しなくても良い。ここで、Ｂｅｈａｖｉｏｕｒ  Ｂ１は、基地局によってクアジコロケーションに関するパラメータが設定されていない場合（すなわち、上位層によって、クアジコロケーションに関する有効な値が設定されていない場合）の動作として定義されても良い。
【０２１０】
この場合、端末は、ＰＤＳＣＨ  ＤＭ−ＲＳに基づいたＰＤＳＣＨの復調に対するチャネル推定に関して、包括的なチャネル推定フィルタ（ａ  ｇｅｎｅｒｉｃ  ｅｓｔｉｍａｔｉｏｎ  ｆｉｌｔｅｒ）を使用しても良いし、チャネル推定フィルタの初期化に対してＰＤＳＣＨ  ＤＭ−ＲＳを使用しても良いし、ＣＲＳに基づいたチャネル推定フィルタを使用しても良いし、物理レイヤセルアイデンティティに基づいて生成されたＣＳＩ−ＲＳに関連するチャネル推定フィルタを使用しても良い。
【０２１１】
また、例えば、Ｂｅｈａｖｉｏｕｒ  Ｂ２において、端末は、時間同期および／または周波数同期に対してサービングセルのＣＳＩ−ＲＳを利用し、ＰＤＳＣＨ  ＤＭ−ＲＳ（例えば、ＰＤＳＣＨの復調）に対して同一の同期を適用しても良い。
【０２１２】
また、Ｂｅｈａｖｉｏｕｒ  Ｂ２において、端末は、ＣＳＩ−ＲＳに基づいたチャネル推定のパラメータを、ＰＤＳＣＨ  ＤＭ−ＲＳ（例えば、ＰＤＳＣＨの復調）を使用したチャネルの推定に利用しても良い。ここで、例えば、ＣＳＩ−ＲＳに基づいたチャネル推定のパラメータには、遅延拡散（ｄｅｌａｙ  ｓｐｒｅａｄ、すなわち、周波数領域におけるフィルタ）やドップラー拡散（ｄｏｐｐｌｅｒ  ｓｐｒｅａｄ、すなわち、時間領域におけるフィルタ）が含まれる。  
【０２１３】
ここで、端末は、基地局によって設定される送信モード（例えば、送信モード１から送信モード１０のいずれかの送信モード）に基づいて、デフォルトの動作を切り換えても良い。
【０２１４】
例えば、端末は、基地局によって送信モード１０（第１の送信モード）が設定された場合には、デフォルトの動作として、Ｂｅｈａｖｉｏｕｒ  Ｂ１を実行しても良い。
【０２１５】
また、端末は、基地局によって送信モード１から送信モード９のいずれかのモード（第２の送信モード）が設定された場合には、デフォルトの動作として、Ｂｅｈａｖｉｏｕｒ  Ａを実行しても良い。
【０２１６】
図８は、本実施形態に係るフローの一例を示す図である。図８に示すように、端末は、条件に基づいて、Ｂｅｈａｖｉｏｕｒ  Ａ（動作Ａ）とＢｅｈａｖｉｏｕｒ  Ｂ１（動作Ｂ１）とＢｅｈａｖｉｏｕｒ  Ｂ２（動作Ｂ２）を切り換える。
【０２１７】
すなわち、端末は、条件がＡの場合には、Ｂｅｈａｖｉｏｕｒ  Ａを実行する。また、端末は、条件がＢの場合には、Ｂｅｈａｖｉｏｕｒ  Ｂ１を実行する。また、端末は、条件がＣの場合には、Ｂｅｈａｖｉｏｕｒ  Ｂ２を実行する。
【０２１８】
ここで、条件には、少なくとも、送信モードが含まれても良い。すなわち、条件Ａには、少なくとも、送信モード１から送信モード９のいずれかの送信モード（第２の送信モード）が設定されたことが含まれても良い。また、条件Ｂには、少なくとも、送信モード１０（第１の送信モード）が設定されたことが含まれても良い。また、条件Ｃには、少なくとも、送信モード１０（第１の送信モード）が設定されたことが含まれても良い。
【０２１９】
また、条件には、少なくとも、検出（デコード、受信）したＤＣＩフォーマット（ＤＣＩフォーマットのタイプ）が含まれても良い。すなわち、条件Ａには、少なくとも、ＤＣＩフォーマット１Ａ（第１のＤＣＩフォーマット）を検出したことが含まれても良い。また、条件Ａには、少なくとも、第３のＤＣＩフォーマットを検出したことが含まれても良い。
【０２２０】
また、条件Ｂには、少なくとも、ＤＣＩフォーマット１Ａ（第１のＤＣＩフォーマット）を検出したことが含まれても良い。また、条件Ｂには、少なくとも、第３のＤＣＩフォーマットを検出したことが含まれても良い。
【０２２１】
また、条件Ｃには、少なくとも、ＤＣＩフォーマット２Ｄ（第２のＤＣＩフォーマット）を検出したことが含まれても良い。ここで、条件Ｃには、ＤＣＩフォーマット２Ｃ（第２のＤＣＩフォーマット）を検出したことが含まれても良い。
【０２２２】
例えば、端末は、送信モード１から送信モード９のいずれかの送信モード（第２の送信モード）が設定され、且つＤＣＩフォーマット１Ａ（第１のＤＣＩフォーマット）を検出した場合には、Ｂｅｈａｖｉｏｕｒ  Ａを実行する。すなわち、端末は、第２の送信モードにおいて、第１のＤＣＩフォーマットを検出した場合には、少なくとも、第１のアンテナポートと第２のアンテナポートと第３のアンテナポートが、クアジコロケイティッドされていると想定する。
【０２２３】
また、端末は、送信モード１０（第１の送信モード）が設定され、且つＤＣＩフォーマット１Ａ（第１のＤＣＩフォーマット）を検出した場合には、Ｂｅｈａｖｉｏｕｒ  Ｂ１を実行する。すなわち、端末は、第１の送信モードにおいて、第１のＤＣＩフォーマットを検出した場合には、少なくとも、第２のアンテナポートが、第１のアンテナポートとクアジコロケイティッドされていないと想定する。
【０２２４】
また、端末は、送信モード１０（第１の送信モード）が設定され、且つＤＣＩフォーマット２Ｄ（第２のＤＣＩフォーマット）を検出した場合には、Ｂｅｈａｖｉｏｕｒ  Ｂ２を実行する。すなわち、端末は、第１の送信モードにおいて、第２のＤＣＩフォーマットを検出した場合には、少なくとも、ＣＳＩ−ＲＳリソースにマップされるＣＳＩ−ＲＳの送信に使用される第２のアンテナポートが、ＰＤＳＣＨ  ＤＭ−ＲＳの送信に使用される第１のアンテナポートとクアジコロケイティッドされていると想定する。ここで、ＣＳＩ−ＲＳリソースの指示の方法は、上述した通りである。
【０２２５】
すなわち、端末は、第１の送信モードにおいて、第２のＤＣＩフォーマットを検出した場合には、少なくとも、第２のアンテナポートを使用して送信されるＣＳＩ−ＲＳが、ＣＳＩ−ＲＳリソースにマップされた時にだけ、第２のアンテナポートが、第１のアンテナポートとクアジコロケイティッドされていると想定する。
【０２２６】
ここで、端末は、送信モード１０（第１の送信モード）が設定され、ＤＣＩフォーマット２Ｃ（第２のＤＣＩフォーマット）を検出した場合には、Ｂｅｈａｖｉｏｕｒ  Ｂ２を実行しても良い。
【０２２７】
ここで、条件Ａには、端末が、ＣＳＳにおいて、ＰＤＣＣＨを検出（デコード、受信）したこと、が含まれても良い。例えば、条件Ａには、端末が、ＣＳＳにおいて、ＤＣＩフォーマット１Ａを検出したこと、が含まれても良い。
【０２２８】
また、条件Ｂには、端末が、ＣＳＳにおいて、ＰＤＣＣＨを検出（デコード、受信）したこと、が含まれても良い。例えば、条件Ｂには、端末が、ＣＳＳにおいて、ＤＣＩフォーマット１Ａを検出したこと、が含まれても良い。
【０２２９】
また、条件Ｃには、端末が、ＵＳＳにおいて、ＰＤＣＣＨを検出（デコード、受信）したこと、が含まれる。例えば、条件Ｃには、端末が、ＵＳＳにおいて、ＤＣＩフォーマット１Ａを検出したこと、が含まれても良い。また、条件Ｃには、端末が、ＵＳＳにおいて、ＤＣＩフォーマット２Ｄを検出したこと、が含まれても良い。また、条件Ｃには、端末が、ＵＳＳにおいて、ＤＣＩフォーマット２Ｃを検出したこと、が含まれても良い。
【０２３０】
また、条件Ａには、端末が、ＲＡ−ＲＮＴＩによってスクランブルされたＣＲＣを伴うＰＤＣＣＨを検出（デコード、受信）したこと、が含まれても良い。また、条件Ａには、端末が、Ｐ−ＲＮＴＩによってスクランブルされたＣＲＣを伴うＰＤＣＣＨを検出したこと、が含まれても良い。また、条件Ａには、端末が、ＳＩ−ＲＮＴＩによってスクランブルされたＣＲＣを伴うＰＤＣＣＨを検出したこと、が含まれても良い。
【０２３１】
また、条件Ｂには、端末が、ＲＡ−ＲＮＴＩによってスクランブルされたＣＲＣを伴うＰＤＣＣＨを検出（デコード、受信）したこと、が含まれても良い。また、条件Ｂには、端末が、Ｐ−ＲＮＴＩによってスクランブルされたＣＲＣを伴うＰＤＣＣＨを検出したこと、が含まれても良い。また、条件Ｂには、端末が、ＳＩ−ＲＮＴＩによってスクランブルされたＣＲＣを伴うＰＤＣＣＨを検出したこと、が含まれても良い。
【０２３２】
また、条件Ｃには、端末が、Ｃ−ＲＮＴＩによってスクランブルされたＣＲＣを伴うＰＤＣＣＨを検出（デコード、受信）したこと、が含まれても良い。
【０２３３】
ここで、例えば、所定の送信モード（送信モード１０、第１の送信モード）が設定され、ＤＣＩフォーマット１ＡがＵＳＳで送信される場合には、第１の制御情報は、ＤＣＩフォーマット１Ａに含まれても良い。すなわち、この場合には、ＤＣＩフォーマット１Ａは、第２のＤＣＩフォーマットとしてみなされる。
【０２３４】
また、所定の送信モード（送信モード１０、第１の送信モード）が設定され、ＤＣＩフォーマット１ＡがＣＳＳで送信される場合には、第１の制御情報は、ＤＣＩフォーマット１Ａに含まれなくても良い。すなわち、この場合には、ＤＣＩフォーマット１Ａは、第１のＤＣＩフォーマットとしてみなされる。
【０２３５】
また、所定の送信モード以外の送信モード（送信モード１から送信モード９のいずれかの送信モード、第２の送信モード）が設定され、ＤＣＩフォーマット１ＡがＵＳＳおよび／またはＣＳＳで送信される場合には、第１の制御情報は、ＤＣＩフォーマット１Ａに含まれなくても良い。すなわち、この場合には、ＤＣＩフォーマット１Ａは、第１のＤＣＩフォーマットとしてみなされる。
【０２３６】
上述のような方法によって、基地局と端末が、アンテナポートのクアジコロケーションに関する想定に基づいて、下りリンクの参照信号を送受信し、効率的に通信を行うことができる。例えば、基地局と端末が、動的に、アンテナポートのクアジコロケーションに関する想定を切り換えて、下りリンクの参照信号を送受信することが可能となり、効率的に通信を行うことができる。
【０２３７】
また、基地局と端末が、上位層（例えば、ＲＲＣ層）において設定を行っている期間（例えば、ｄｅｄｉｃａｔｅｄ  ＲＲＣ  ｓｉｇｎａｌｉｎｇを使用した設定を行っている期間）に、条件Ａを利用して下りリンクの参照信号を送受信することができる。すなわち、上位層において設定を行う際に生じる、設定が曖昧（不明確）となる期間（基地局と端末との間で、設定に不一致が生じる期間）において、条件Ａを利用して下りリンクの参照信号を送受信することができる。
【０２３８】
すなわち、基地局と端末が、上位層における設定を行っている期間であっても通信を継続することが可能となり、無線リソースを効率的に使用した通信を行うことができる。
【０２３９】
なお、本願発明は上述の実施形態に限定されるものではない。実施形態では、端末装置もしくは通信装置の一例として端末（移動局装置）を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来ることは言うまでもない。
【０２４０】
本発明に関わるプライマリ基地局、セカンダリ基地局および端末で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０２４１】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述したような実施形態におけるセカンダリ基地局、セカンダリ基地局および端末の一部、または全てを、典型的には集積回路であるＬＳＩとして実現してもよい。ここで、セカンダリ基地局、セカンダリ基地局および端末の各機能ブロックは個別にチップ化してもよいし、一部、または全てを集積してチップ化してもよい。また、集積回路化の手法はＬＳＩに限らず、専用回路または汎用プロセッサなどで実現しても良い。また、半導体技術の進歩によりＬＳＩに代替する集積回路化の技術が出現した場合、当該技術による集積回路を用いることも可能である。
【０２４２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０２４３】
本発明は、端末装置や基地局装置や通信方法や集積回路や無線通信システムに対して好適である。
【符号の説明】
【０２４４】
１００  基地局
１０１  データ制御部
１０２  送信データ変調部
１０３  無線部
１０４  スケジューリング部
１０５  チャネル推定部
１０６  受信データ復調部
１０７  データ抽出部
１０８  上位層
１０９  アンテナ
２００  端末
２０１  データ制御部
２０２  送信データ変調部
２０３  無線部
２０４  スケジューリング部
２０５  チャネル推定部
２０６  受信データ復調部
２０７  データ抽出部
２０８  上位層
２０９  アンテナ
３０１  プライマリ基地局
３０２  セカンダリ基地局
３０３  端末
３０４、３０５  下りリンク
【図１】
2014068299.tif 000003
【図２】
2014068299.tif 000004
【図３】
2014068299.tif 000005
【図４】
2014068299.tif 000006
【図５】
2014068299.tif 000007
【図６】
2014068299.tif 000008
【図７】
2014068299.tif 000009
【図８】
2014068299.tif 000010